(57)【要約】  本発明は、基地局が、パイロットアンテナポートグループの送信周期を決定するステップと、基地局が、各パイロットアンテナポートグループに対応する送信周期において、ユーザ装置がパイロット信号に従ってチャネル品質を測定するように、パイロットアンテナポートグループに対応するリソースを使用することによってユーザ装置にパイロット信号を送信するステップとを有するパイロット信号を送信する方法、基地局及びユーザ装置を提供する。本発明の実施例において提供される技術的解決策によって、パイロットオーバヘッドを低下させることができる。
2017508318.tif 000002
【特許請求の範囲】
【請求項１】
パイロット信号を送信する方法であって、
基地局が、パイロットアンテナポートグループの送信周期を決定するステップと、
前記基地局が、各パイロットアンテナポートグループに対応する送信周期において、ユーザ装置が前記パイロット信号に従ってチャネル品質を測定するように、前記パイロットアンテナポートグループに対応するリソースを使用することによって前記ユーザ装置にパイロット信号を送信するステップと、
を有する方法。
【請求項２】
異なるパイロットアンテナポートグループは、異なる送信周期に対応する、請求項１記載の方法。
【請求項３】
前記基地局が、各パイロットアンテナポートグループに対応する送信周期において、前記パイロットアンテナポートグループを使用することによってパイロット信号を送信するステップの前に、
前記基地局が、前記ユーザ装置に第１のコンフィギュレーション情報を送信するステップであって、前記第１のコンフィギュレーション情報は、前記パイロット信号が、前記ユーザ装置の専用の帯域幅で送信されるべきか、又は前記基地局に対応する全帯域幅で送信されるべきかを示すのに使用される、送信するステップを更に有する、請求項１又は２記載の方法。
【請求項４】
前記第１のコンフィギュレーション情報はダウンリンク制御情報ＤＣＩであり、前記ＤＣＩは第１のフラグビットを搬送し、前記第１のフラグビットは、前記パイロット信号が前記専用の帯域幅で送信されるべきか、又は前記全帯域幅で送信されるべきかを示すのに使用される、請求項３記載の方法。
【請求項５】
前記パイロット信号は、復調プリコーディングマトリクスとして単位行列を使用したチャネル状態指示−リファレンス信号ＣＳＩ−ＲＳ又はダウンリンク復調リファレンス信号ＤＭ−ＲＳである、請求項４記載の方法。
【請求項６】
パイロット信号を送信する方法であって、
１つの第１のパイロットアンテナポートとして少なくとも２つの第２のパイロットアンテナポートを決定するステップと、
基地局が、前記第１のパイロットアンテナポートに対応するリソースを使用することによってユーザ装置に第１のパイロット信号を送信するステップであって、前記第１のパイロット信号はチャネル品質測定に使用される、送信するステップと、
を有する方法。
【請求項７】
前記１つの第１のパイロットアンテナポートとして少なくとも２つの第２のパイロットアンテナポートを決定するステップは、具体的には、
前記基地局が、前記第１のパイロットアンテナポートを取得するため、加重係数を使用することによって前記第２のパイロットアンテナポートの各々に対して重み付けを実行するステップを有し、前記加重係数は前記基地局によって予め設定されるか、又は前記ユーザ装置によってフィードバックされる、請求項６記載の方法。
【請求項８】
前記基地局が、前記第１のパイロットアンテナポートに対応するリソースを使用することによってユーザ装置に第１のパイロット信号を送信するステップは、
前記基地局が、前記第１のパイロットアンテナポートに対応するリソースを使用することによって前記ユーザ装置に前記第１のパイロット信号を定期的に送信するステップを有する、請求項６又は７記載の方法。
【請求項９】
前記基地局が、前記第１のパイロットアンテナポートに対応するリソースを使用することによってユーザ装置に第１のパイロット信号を送信するステップの前に、
前記基地局が、前記ユーザ装置に第２のコンフィギュレーション情報を送信するステップを更に有し、前記第２のコンフィギュレーション情報は前記第１のパイロット信号のコンフィギュレーションパラメータを示すのに使用される、請求項６乃至８何れか一項記載の方法。
【請求項１０】
前記基地局が、前記第１のパイロットアンテナポートに対応するリソースを使用することによってユーザ装置に第１のパイロット信号を送信するステップの前に、
前記基地局が、前記ユーザ装置に第３のコンフィギュレーション情報を送信するステップを更に有し、前記第３のコンフィギュレーション情報は、前記基地局が前記ユーザ装置に第２のパイロット信号を送信すべきか示すのに使用される、請求項６乃至９何れか一項記載の方法。
【請求項１１】
前記第３のコンフィギュレーション情報が、前記基地局が前記ユーザ装置に前記第２のパイロット信号を送信すべきであることを示す場合、前記基地局が、前記ユーザ装置に第３のコンフィギュレーション情報を送信するステップの前に、
前記基地局が、前記第２のパイロットアンテナポートに対応するリソースを使用することによって前記ユーザ装置に第２のパイロット信号を不定期的に送信するステップを有する、請求項１０記載の方法。
【請求項１２】
前記第２のコンフィギュレーション情報はダウンリンク制御情報ＤＣＩであり、前記ＤＣＩは第２のフラグビットを搬送し、前記第２のフラグビットは前記第１のパイロット信号のコンフィギュレーションパラメータを示すのに使用される、請求項９乃至１１何れか一項記載の方法。
【請求項１３】
前記第３のコンフィギュレーション情報はダウンリンク制御情報ＤＣＩであり、前記ＤＣＩは第３のフラグビットを搬送し、前記第３のフラグビットは、前記基地局が前記ユーザ装置に前記第２のパイロット信号を送信すべきか示すのに使用される、請求項１１又は１２記載の方法。
【請求項１４】
パイロット信号を送信する方法であって、
ユーザ装置が、基地局の各パイロットアンテナポートグループに対応する送信周期において、前記パイロットアンテナポートグループに対応するリソースを使用することによってパイロット信号を受信するステップと、
前記ユーザ装置が、前記パイロット信号に従ってチャネル品質測定を実行するステップと、
を有し、
前記基地局のパイロットアンテナポートグループの送信周期は前記基地局によって決定される方法。
【請求項１５】
前記ユーザ装置が、基地局の各パイロットアンテナポートグループに対応する送信周期において、前記パイロットアンテナポートグループに対応するリソースを使用することによってパイロット信号を受信するステップの前に、
前記ユーザ装置が、第１のコンフィギュレーション情報を受信するステップと、
前記ユーザ装置が、前記第１のコンフィギュレーション情報に従って、前記ユーザ装置の専用の帯域幅で前記パイロット信号を受信するか、又は前記基地局に対応する全帯域幅で前記パイロット信号を受信するか決定するステップと、
を更に有する、請求項１４記載の方法。
【請求項１６】
パイロット信号を送信する方法であって、
ユーザ装置が、第１のパイロットアンテナポートに対応するリソースを使用することによって、基地局によって送信される第１のパイロット信号を受信するステップを有し、
前記第１のパイロットアンテナポートは少なくとも２つの第２のパイロットアンテナポートに従って前記基地局によって決定され、前記第１のパイロット信号はチャネル品質測定に使用される方法。
【請求項１７】
前記ユーザ装置が、第１のパイロットアンテナポートに対応するリソースを使用することによって、基地局によって送信される第１のパイロット信号を受信するステップの前に、
前記ユーザ装置が、前記基地局によって送信される第２のコンフィギュレーション情報を受信するステップと、
前記ユーザ装置が、前記第２のコンフィギュレーション情報に従って前記第１のパイロット信号のコンフィギュレーションパラメータを取得するステップと、
を更に有する、請求項１６記載の方法。
【請求項１８】
前記ユーザ装置が、第１のパイロットアンテナポートに対応するリソースを使用することによって、基地局によって送信される第１のパイロット信号を受信するステップの前に、
前記ユーザ装置が、前記基地局によって送信される第３のコンフィギュレーション情報を受信するステップを更に有し、
前記第３のコンフィギュレーション情報は、前記基地局が前記ユーザ装置に第２のパイロット信号を送信すべきか示すのに使用される、請求項１６又は１７記載の方法。
【請求項１９】
前記第３のコンフィギュレーション情報が、前記基地局が前記ユーザ装置に前記第２のパイロット信号を送信すべきであることを示す場合、前記ユーザ装置が、前記基地局によって送信される第３のコンフィギュレーション情報を受信するステップの後に、
前記ユーザ装置が、前記第２のパイロットアンテナポートに対応するリソースを使用することによって、前記第２のパイロット信号を受信するステップを更に有する、請求項１８記載の方法。
【請求項２０】
基地局であって、
パイロットアンテナポートグループの送信周期を決定するよう構成される決定モジュールと、
各パイロットアンテナポートグループに対応する送信周期において、ユーザ装置がパイロット信号に従ってチャネル品質を測定するように、前記パイロットアンテナポートグループに対応するリソースを使用することによってユーザ装置にパイロット信号を送信するよう構成される送信モジュールと、
を有する基地局。
【請求項２１】
前記送信モジュールは更に、
前記ユーザ装置に第１のコンフィギュレーション情報を送信するよう構成され、前記第１のコンフィギュレーション情報は、前記パイロット信号が、前記ユーザ装置の専用の帯域幅で送信されるべきか、又は前記基地局に対応する全帯域幅で送信されるべきかを示すのに使用される、請求項２０記載の基地局。
【請求項２２】
基地局であって、
１つの第１のパイロットアンテナポートとして少なくとも２つの第２のパイロットアンテナポートを決定するよう構成される決定モジュールと、
前記第１のパイロットアンテナポートに対応するリソースを使用することによってユーザ装置に第１のパイロット信号を送信するよう構成される送信モジュールと、
を有し、
前記第１のパイロット信号はチャネル品質測定に使用される基地局。
【請求項２３】
前記決定モジュールは、具体的には、
前記第１のパイロットアンテナポートを取得するため、加重係数を使用することによって前記第２のパイロットアンテナポートの各々に対して重み付けを実行するよう構成され、前記加重係数は前記基地局によって予め設定されるか、又は前記ユーザ装置によってフィードバックされる、請求項２２記載の基地局。
【請求項２４】
前記送信モジュールは、具体的には、
前記第１のパイロットアンテナポートに対応するリソースを使用することによって前記ユーザ装置に前記第１のパイロット信号を定期的に送信するよう構成される、請求項２２又は２３記載の基地局。
【請求項２５】
前記送信モジュールは更に、
前記ユーザ装置に第２のコンフィギュレーション情報を送信するよう構成され、前記第２のコンフィギュレーション情報は前記第１のパイロット信号のコンフィギュレーションパラメータを示すのに使用される、請求項２２乃至２４何れか一項記載の基地局。
【請求項２６】
前記送信モジュールは更に、
前記ユーザ装置に第３のコンフィギュレーション情報を送信するよう構成され、前記第３のコンフィギュレーション情報は、前記基地局が前記ユーザ装置に第２のパイロット信号を送信すべきか示すのに使用される、請求項２２乃至２５何れか一項記載の基地局。
【請求項２７】
前記送信モジュールは更に、
前記第２のパイロットアンテナポートに対応するリソースを使用することによって前記ユーザ装置に第２のパイロット信号を不定期的に送信するよう構成される、請求項２６記載の基地局。
【請求項２８】
ユーザ装置であって、
基地局の各パイロットアンテナポートグループに対応する送信周期において、前記パイロットアンテナポートグループに対応するリソースを使用することによってパイロット信号を受信するよう構成される受信モジュールと、
前記パイロット信号に従ってチャネル品質を測定するよう構成される測定モジュールと、
を有し、
前記基地局のパイロットアンテナポートグループの送信周期は前記基地局によって決定されるユーザ装置。
【請求項２９】
前記受信モジュールは更に、
第１のコンフィギュレーション情報を受信し、
前記第１のコンフィギュレーション情報に従って、前記ユーザ装置の専用の帯域幅で前記パイロット信号を受信するか、又は前記基地局に対応する全帯域幅で前記パイロット信号を受信するか決定するよう構成される、請求項２８記載のユーザ装置。
【請求項３０】
ユーザ装置であって、
第１のパイロットアンテナポートに対応するリソースを使用することによって、基地局によって送信される第１のパイロット信号を受信するよう構成される受信モジュールを有し、
前記第１のパイロットアンテナポートは少なくとも２つの第２のパイロットアンテナポートに従って前記基地局によって決定され、前記第１のパイロット信号はチャネル品質測定に使用されるユーザ装置。
【請求項３１】
前記受信モジュールは更に、
前記基地局によって送信される第２のコンフィギュレーション情報を受信し、
前記第２のコンフィギュレーション情報に従って前記第１のパイロット信号のコンフィギュレーションパラメータを取得するよう構成される、請求項３０記載のユーザ装置。
【請求項３２】
前記受信モジュールは更に、
前記基地局によって送信される第３のコンフィギュレーション情報を受信するよう構成され、
前記第３のコンフィギュレーション情報は、前記基地局が前記ユーザ装置に第２のパイロット信号を送信すべきか示すのに使用される、請求項３０又は３１記載のユーザ装置。
【請求項３３】
前記受信モジュールは更に、
前記第２のパイロットアンテナポートに対応するリソースを使用することによって、前記第２のパイロット信号を受信するよう構成される、請求項３２記載のユーザ装置。
【請求項３４】
基地局であって、
パイロットアンテナポートグループの送信周期を決定するよう構成されるプロセッサと、
各パイロットアンテナポートグループに対応する送信周期において、ユーザ装置がパイロット信号に従ってチャネル品質を測定するように、前記パイロットアンテナポートグループに対応するリソースを使用することによってユーザ装置にパイロット信号を送信するよう構成される送信機と、
を有する基地局。
【請求項３５】
前記送信機は更に、
前記ユーザ装置に第１のコンフィギュレーション情報を送信するよう構成され、前記第１のコンフィギュレーション情報は、前記パイロット信号が、前記ユーザ装置の専用の帯域幅で送信されるべきか、又は前記基地局に対応する全帯域幅で送信されるべきかを示すのに使用される、請求項３４記載の基地局。
【請求項３６】
基地局であって、
１つの第１のパイロットアンテナポートとして少なくとも２つの第２のパイロットアンテナポートを決定するよう構成されるプロセッサと、
前記第１のパイロットアンテナポートに対応するリソースを使用することによってユーザ装置に第１のパイロット信号を送信するよう構成される送信機と、
を有し、
前記第１のパイロット信号はチャネル品質測定に使用される基地局。
【請求項３７】
前記プロセッサは、具体的には、
前記第１のパイロットアンテナポートを取得するため、加重係数を使用することによって前記第２のパイロットアンテナポートの各々に対して重み付けを実行するよう構成され、前記加重係数は前記基地局によって予め設定されるか、又は前記ユーザ装置によってフィードバックされる、請求項３６記載の基地局。
【請求項３８】
前記送信機は、具体的には、
前記第１のパイロットアンテナポートに対応するリソースを使用することによって前記ユーザ装置に前記第１のパイロット信号を定期的に送信するよう構成される、請求項３６又は３７記載の基地局。
【請求項３９】
前記送信機は更に、
前記ユーザ装置に第２のコンフィギュレーション情報を送信するよう構成され、前記第２のコンフィギュレーション情報は前記第１のパイロット信号のコンフィギュレーションパラメータを示すのに使用される、請求項３６乃至３８何れか一項記載の基地局。
【請求項４０】
前記送信機は更に、
前記ユーザ装置に第３のコンフィギュレーション情報を送信するよう構成され、前記第３のコンフィギュレーション情報は、前記基地局が前記ユーザ装置に第２のパイロット信号を送信すべきか示すのに使用される、請求項３６乃至３９何れか一項記載の基地局。
【請求項４１】
前記送信機は更に、
前記第２のパイロットアンテナポートに対応するリソースを使用することによって前記ユーザ装置に第２のパイロット信号を不定期的に送信するよう構成される、請求項４０記載の基地局。
【請求項４２】
ユーザ装置であって、
基地局の各パイロットアンテナポートグループに対応する送信周期において、前記パイロットアンテナポートグループに対応するリソースを使用することによってパイロット信号を受信するよう構成される受信機と、
前記パイロット信号に従ってチャネル品質を測定するよう構成されるプロセッサと、
を有し、
前記基地局のパイロットアンテナポートグループの送信周期は前記基地局によって決定されるユーザ装置。
【請求項４３】
前記受信機は更に、
第１のコンフィギュレーション情報を受信し、
前記第１のコンフィギュレーション情報に従って、前記ユーザ装置の専用の帯域幅で前記パイロット信号を受信するか、又は前記基地局に対応する全帯域幅で前記パイロット信号を受信するか決定するよう構成される、請求項４２記載のユーザ装置。
【請求項４４】
ユーザ装置であって、
第１のパイロットアンテナポートに対応するリソースを使用することによって、基地局によって送信される第１のパイロット信号を受信するよう構成される受信機を有し、
前記第１のパイロットアンテナポートは少なくとも２つの第２のパイロットアンテナポートに従って前記基地局によって決定され、前記第１のパイロット信号はチャネル品質測定に使用されるユーザ装置。
【請求項４５】
前記受信機は更に、
前記基地局によって送信される第２のコンフィギュレーション情報を受信し、
前記第２のコンフィギュレーション情報に従って前記第１のパイロット信号のコンフィギュレーションパラメータを取得するよう構成される、請求項４４記載のユーザ装置。
【請求項４６】
前記受信機は更に、
前記基地局によって送信される第３のコンフィギュレーション情報を受信するよう構成され、
前記第３のコンフィギュレーション情報は、前記基地局が前記ユーザ装置に第２のパイロット信号を送信すべきか示すのに使用される、請求項４４又は４５記載のユーザ装置。
【請求項４７】
前記受信機は更に、
前記第２のパイロットアンテナポートに対応するリソースを使用することによって、前記第２のパイロット信号を受信するよう構成される、請求項４６記載のユーザ装置。
【発明の詳細な説明】
【技術分野】
【０００１】
本発明は、通信技術に関し、特にパイロット信号を送信する方法、基地局及びユーザ装置に関する。
【背景技術】
【０００２】
無線通信システムでは、送信端及び受信端は、より高いレートを取得するため、複数のアンテナを空間多重方式で利用する。通常の空間多重方式と比較して、エンハンスされた技術は、受信端がチャネル情報を送信端にフィードバックし、送信端が取得したチャネル情報に従っていくつかの送信プリコーディング技術を利用し、送信性能を大きく向上させるというものである。
【０００３】
より高いセル平均スペクトル効率を取得し、セル端カバレッジ及びスループットを向上させるため、既存のロング・ターム・エボリューション（Ｌｏｎｇ  Ｔｅｒｍ  Ｅｖｏｌｕｔｉｏｎ，略してＬＴＥ）システムに基づき、ロング・ターム・エボリューション−アドバンスト（Ｌｏｎｇ  Ｔｅｒｍ  Ｅｖｏｌｕｔｉｏｎ−Ａｄｖａｎｃｅｄ，略してＬＴＥ−Ａ）は、ダウンリンクにおいて最大で８個のアンテナをサポートし、いくつかのフィードバックエンハンスメント技術がコードブックフィードバックに関して進められ、それらは主としてコードブックフィードバック精度をエンハンスし、チャネル情報の時間相関及び／又は周波数領域相関を利用することによってオーバヘッドを低下させるためのものである。チャネル情報をフィードバックする必要がある１つのサブバンド又は複数の結合したサブバンドについて、ユーザ装置は、チャネル状態情報−リファレンス信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，略してＣＳＩ−ＲＳ）に従ってチャネル状態情報（Ｃｈａｎｎｅｌ  Ｓｔａｔｅ  Ｉｎｆｏｒｍａｔｉｏｎ，略してＣＳＩ）を測定し、ＰＭＩ１及びＰＭＩ２の２つのプリコーディング・マトリクス・インジケータ（Ｐｒｅｃｏｄｉｎｇ  Ｍａｔｒｉｘ  Ｉｎｄｅｘ，略してＰＭＩ）を基地局にフィードバックし、ここで、ＰＭＩ１はコードブックＣ１におけるコードワードＷ１に対応し、ＰＭＩ２は他のコードブックＣ２におけるコードワードＷ２に対応する。基地局端は、同一のＣ１及びＣ２に関する情報を有し、ＰＭＩ１及びＰＭＩ２を受信した後に対応するコードブックＣ１及びＣ２から対応するコードワードＷ１及びＷ２を検出し、バーチャルＷに対応するコードブックを取得する。
【０００４】
しかしながら、アンテナスケールが増加するに従って、プリコーディングマトリクスを測定するのに用いられるパイロットオーバヘッド、すなわち、上記のＣＳＩ−ＲＳのオーバヘッドがまた従来技術では増加する。
【発明の概要】
【０００５】
本発明は、アンテナスケールが増加するに従ってパイロットオーバヘッドが増加するという従来技術における問題を解決するため、パイロット信号を送信する方法、基地局及びユーザ装置を提供する。
【０００６】
本発明の第１の態様によると、パイロット信号を送信する方法が提供され、
基地局が、パイロットアンテナポートグループの送信周期を決定するステップと、
前記基地局が、各パイロットアンテナポートグループに対応する送信周期において、ユーザ装置が前記パイロット信号に従ってチャネル品質を測定するように、前記パイロットアンテナポートグループに対応するリソースを使用することによって前記ユーザ装置にパイロット信号を送信するステップと、
を有する。
【０００７】
第１の態様によると、第１の可能な実現方式では、異なるパイロットアンテナポートグループは、異なる送信周期に対応する。
【０００８】
第１の態様及び第１の可能な実現方式を参照して、第２の可能な実現方式では、前記基地局が、各パイロットアンテナポートグループに対応する送信周期において、前記パイロットアンテナポートグループを使用することによってパイロット信号を送信するステップの前に、当該方法は、
前記基地局が、前記ユーザ装置に第１のコンフィギュレーション情報を送信するステップであって、前記第１のコンフィギュレーション情報は、前記パイロット信号が、前記ユーザ装置の専用の帯域幅で送信されるべきか、又は前記基地局に対応する全帯域幅で送信されるべきかを示すのに使用される、送信するステップを更に有する。
【０００９】
第２の可能な実現方式によると、第３の可能な実現方式では、前記第１のコンフィギュレーション情報はダウンリンク制御情報ＤＣＩであり、前記ＤＣＩは第１のフラグビットを搬送し、前記第１のフラグビットは、前記パイロット信号が前記専用の帯域幅で送信されるべきか、又は前記全帯域幅で送信されるべきかを示すのに使用される。
【００１０】
第３の可能な実現方式によると、第４の可能な実現方式では、前記パイロット信号は、復調プリコーディングマトリクスとして単位行列を使用したチャネル状態指示−リファレンス信号ＣＳＩ−ＲＳ又はダウンリンク復調リファレンス信号ＤＭ−ＲＳである。
【００１１】
本発明の第２の態様によると、パイロット信号を送信する方法が提供され、
１つの第１のパイロットアンテナポートとして少なくとも２つの第２のパイロットアンテナポートを決定するステップと、
基地局が、前記第１のパイロットアンテナポートに対応するリソースを使用することによってユーザ装置に第１のパイロット信号を送信するステップであって、前記第１のパイロット信号はチャネル品質測定に使用される、送信するステップと、
を有する。
【００１２】
第２の態様によると、第１の可能な実現方式では、前記１つの第１のパイロットアンテナポートとして少なくとも２つの第２のパイロットアンテナポートを決定するステップは、具体的には、
前記基地局が、前記第１のパイロットアンテナポートを取得するため、加重係数を使用することによって前記第２のパイロットアンテナポートの各々に対して重み付けを実行するステップを有し、前記加重係数は前記基地局によって予め設定されるか、又は前記ユーザ装置によってフィードバックされる。
【００１３】
第２の態様及び第１の可能な実現方式を参照して、第２の可能な実現方式では、前記基地局が、前記第１のパイロットアンテナポートに対応するリソースを使用することによってユーザ装置に第１のパイロット信号を送信するステップは、
前記基地局が、前記第１のパイロットアンテナポートに対応するリソースを使用することによって前記ユーザ装置に前記第１のパイロット信号を定期的に送信するステップを有する。
【００１４】
第２の態様、第１の可能な実現方式及び第２の可能な実現方式を参照して、第３の可能な実現方式では、前記基地局が、前記第１のパイロットアンテナポートに対応するリソースを使用することによってユーザ装置に第１のパイロット信号を送信するステップの前に、当該方法は、
前記基地局が、前記ユーザ装置に第２のコンフィギュレーション情報を送信するステップを更に有し、前記第２のコンフィギュレーション情報は前記第１のパイロット信号のコンフィギュレーションパラメータを示すのに使用される。
【００１５】
第２の態様、第１の可能な実現方式、第２の可能な実現方式及び第３の可能な実現方式を参照して、第４の可能な実現方式では、前記基地局が、前記第１のパイロットアンテナポートに対応するリソースを使用することによってユーザ装置に第１のパイロット信号を送信するステップの前に、当該方法は、
前記基地局が、前記ユーザ装置に第３のコンフィギュレーション情報を送信するステップを更に有し、前記第３のコンフィギュレーション情報は、前記基地局が前記ユーザ装置に第２のパイロット信号を送信すべきか示すのに使用される。
【００１６】
第４の可能な実現方式を参照して、第５の可能な実現方式では、前記第３のコンフィギュレーション情報が、前記基地局が前記ユーザ装置に前記第２のパイロット信号を送信すべきであることを示す場合、前記基地局が、前記ユーザ装置に第３のコンフィギュレーション情報を送信するステップの前に、当該方法は、
前記基地局が、前記第２のパイロットアンテナポートに対応するリソースを使用することによって前記ユーザ装置に第２のパイロット信号を不定期的に送信するステップを有する。
【００１７】
本発明の第３の態様によると、パイロット信号を送信する方法が提供され、
ユーザ装置が、基地局の各パイロットアンテナポートグループに対応する送信周期において、前記パイロットアンテナポートグループに対応するリソースを使用することによってパイロット信号を受信するステップと、
前記ユーザ装置が、前記パイロット信号に従ってチャネル品質測定を実行するステップとを有し、
前記基地局のパイロットアンテナポートグループの送信周期は前記基地局によって決定される。
【００１８】
第３の態様によると、第１の可能な実現方式では、前記ユーザ装置が、基地局の各パイロットアンテナポートグループに対応する送信周期において、前記パイロットアンテナポートグループに対応するリソースを使用することによってパイロット信号を受信するステップの前に、当該方法は、
前記ユーザ装置が、第１のコンフィギュレーション情報を受信するステップと、
前記ユーザ装置が、前記第１のコンフィギュレーション情報に従って、前記ユーザ装置の専用の帯域幅で前記パイロット信号を受信するか、又は前記基地局に対応する全帯域幅で前記パイロット信号を受信するか決定するステップと、
を更に有する。
【００１９】
本発明の第４の態様によると、パイロット信号を送信する方法が提供され、
ユーザ装置が、第１のパイロットアンテナポートに対応するリソースを使用することによって、基地局によって送信される第１のパイロット信号を受信するステップを有し、前記第１のパイロットアンテナポートは少なくとも２つの第２のパイロットアンテナポートに従って前記基地局によって決定され、前記第１のパイロット信号はチャネル品質測定に使用される。
【００２０】
第４の態様によると、第１の可能な実現方式では、前記ユーザ装置が、第１のパイロットアンテナポートに対応するリソースを使用することによって、基地局によって送信される第１のパイロット信号を受信するステップの前に、当該方法は、
前記ユーザ装置が、前記基地局によって送信される第２のコンフィギュレーション情報を受信するステップと、
前記ユーザ装置が、前記第２のコンフィギュレーション情報に従って前記第１のパイロット信号のコンフィギュレーションパラメータを取得するステップと、
を更に有する。
【００２１】
第４の態様及び第１の可能な実現方式を参照して、第２の可能な実現方式では、前記ユーザ装置が、第１のパイロットアンテナポートに対応するリソースを使用することによって、基地局によって送信される第１のパイロット信号を受信するステップの前に、当該方法は、
前記ユーザ装置が、前記基地局によって送信される第３のコンフィギュレーション情報を受信するステップを更に有し、前記第３のコンフィギュレーション情報は、前記基地局が前記ユーザ装置に第２のパイロット信号を送信すべきか示すのに使用される。
【００２２】
第２の可能な実現方式によると、第３の可能な実現方式では、前記第３のコンフィギュレーション情報が、前記基地局が前記ユーザ装置に前記第２のパイロット信号を送信すべきであることを示す場合、前記ユーザ装置が、前記基地局によって送信される第３のコンフィギュレーション情報を受信するステップの後に、当該方法は、
前記ユーザ装置が、前記第２のパイロットアンテナポートに対応するリソースを使用することによって、前記第２のパイロット信号を受信するステップを更に有する。
【００２３】
本発明の第５の態様によると、基地局が提供され、
パイロットアンテナポートグループの送信周期を決定するよう構成される決定モジュールと、
各パイロットアンテナポートグループに対応する送信周期において、ユーザ装置がパイロット信号に従ってチャネル品質を測定するように、前記パイロットアンテナポートグループに対応するリソースを使用することによってユーザ装置にパイロット信号を送信するよう構成される送信モジュールと、
を有する。
【００２４】
第５の態様によると、第１の可能な実現方式において、前記送信モジュールは更に、
前記ユーザ装置に第１のコンフィギュレーション情報を送信するよう構成され、前記第１のコンフィギュレーション情報は、前記パイロット信号が、前記ユーザ装置の専用の帯域幅で送信されるべきか、又は前記基地局に対応する全帯域幅で送信されるべきかを示すのに使用される。
【００２５】
本発明の第６の態様によると、基地局が提供され、
１つの第１のパイロットアンテナポートとして少なくとも２つの第２のパイロットアンテナポートを決定するよう構成される決定モジュールと、
前記第１のパイロットアンテナポートに対応するリソースを使用することによってユーザ装置に第１のパイロット信号を送信するよう構成される送信モジュールと、
を有し、
前記第１のパイロット信号はチャネル品質測定に使用される。
【００２６】
第６の態様によると、第１の可能な実現方式では、前記決定モジュールは、具体的には、
前記第１のパイロットアンテナポートを取得するため、加重係数を使用することによって前記第２のパイロットアンテナポートの各々に対して重み付けを実行するよう構成され、前記加重係数は前記基地局によって予め設定されるか、又は前記ユーザ装置によってフィードバックされる。
【００２７】
第６の態様及び第１の可能な実現方式を参照して、第２の可能な実現方式では、前記送信モジュールは、具体的には、
前記第１のパイロットアンテナポートに対応するリソースを使用することによって前記ユーザ装置に前記第１のパイロット信号を定期的に送信するよう構成される。
【００２８】
第６の態様、第１の可能な実現方式及び第２の可能な実現方式を参照して、第３の可能な実現方式では、前記送信モジュールは更に、
前記ユーザ装置に第２のコンフィギュレーション情報を送信するよう構成され、前記第２のコンフィギュレーション情報は前記第１のパイロット信号のコンフィギュレーションパラメータを示すのに使用される。
【００２９】
第６の態様、第１の可能な実現方式、第２の可能な実現方式及び第３の可能な実現方式を参照して、第４の可能な実現方式では、前記送信モジュールは更に、
前記ユーザ装置に第３のコンフィギュレーション情報を送信するよう構成され、前記第３のコンフィギュレーション情報は、前記基地局が前記ユーザ装置に第２のパイロット信号を送信すべきか示すのに使用される。
【００３０】
第４の可能な実現方式を参照して、第５の可能な実現方式では、前記送信モジュールは更に、
前記第２のパイロットアンテナポートに対応するリソースを使用することによって前記ユーザ装置に第２のパイロット信号を不定期的に送信するよう構成される。
【００３１】
本発明の第７の態様によると、ユーザ装置が提供され、
基地局の各パイロットアンテナポートグループに対応する送信周期において、前記パイロットアンテナポートグループに対応するリソースを使用することによってパイロット信号を受信するよう構成される受信モジュールと、
前記パイロット信号に従ってチャネル品質を測定するよう構成される測定モジュールと、
を有し、
前記基地局のパイロットアンテナポートグループの送信周期は前記基地局によって決定される。
【００３２】
第７の態様を参照して、第１の可能な実現方式では、前記受信モジュールは更に、
第１のコンフィギュレーション情報を受信し、
前記第１のコンフィギュレーション情報に従って、前記ユーザ装置の専用の帯域幅で前記パイロット信号を受信するか、又は前記基地局に対応する全帯域幅で前記パイロット信号を受信するか決定するよう構成される。
【００３３】
本発明の第８の態様によると、ユーザ装置が提供され、
第１のパイロットアンテナポートに対応するリソースを使用することによって、基地局によって送信される第１のパイロット信号を受信するよう構成される受信モジュールを有し、前記第１のパイロットアンテナポートは少なくとも２つの第２のパイロットアンテナポートに従って前記基地局によって決定され、前記第１のパイロット信号はチャネル品質測定に使用される。
【００３４】
第８の態様によると、第１の可能な実現方式では、前記受信モジュールは更に、
前記基地局によって送信される第２のコンフィギュレーション情報を受信し、
前記第２のコンフィギュレーション情報に従って前記第１のパイロット信号のコンフィギュレーションパラメータを取得するよう構成される。
【００３５】
第８の態様及び第１の可能な実現方式を参照して、第２の可能な実現方式では、前記受信モジュールは更に、
前記基地局によって送信される第３のコンフィギュレーション情報を受信するよう構成され、前記第３のコンフィギュレーション情報は、前記基地局が前記ユーザ装置に第２のパイロット信号を送信すべきか示すのに使用される。
【００３６】
第２の可能な実現方式によると、第３の可能な実現方式では、前記受信モジュールは更に、
前記第２のパイロットアンテナポートに対応するリソースを使用することによって、前記第２のパイロット信号を受信するよう構成される。
【００３７】
本発明の第９の態様によると、基地局が提供され、
パイロットアンテナポートグループの送信周期を決定するよう構成されるプロセッサと、
各パイロットアンテナポートグループに対応する送信周期において、ユーザ装置がパイロット信号に従ってチャネル品質を測定するように、前記パイロットアンテナポートグループに対応するリソースを使用することによってユーザ装置にパイロット信号を送信するよう構成される送信機と、
を有する。
【００３８】
第９の態様によると、第１の可能な実現方式では、前記送信機は更に、
前記ユーザ装置に第１のコンフィギュレーション情報を送信するよう構成され、前記第１のコンフィギュレーション情報は、前記パイロット信号が、前記ユーザ装置の専用の帯域幅で送信されるべきか、又は前記基地局に対応する全帯域幅で送信されるべきかを示すのに使用される。
【００３９】
本発明の第１０の態様によると、基地局が提供され、
１つの第１のパイロットアンテナポートとして少なくとも２つの第２のパイロットアンテナポートを決定するよう構成されるプロセッサと、
前記第１のパイロットアンテナポートに対応するリソースを使用することによってユーザ装置に第１のパイロット信号を送信するよう構成される送信機と、
を有し、
前記第１のパイロット信号はチャネル品質測定に使用される。
【００４０】
第１０の態様によると、第１の可能な実現方式では、前記プロセッサは、具体的には、
前記第１のパイロットアンテナポートを取得するため、加重係数を使用することによって前記第２のパイロットアンテナポートの各々に対して重み付けを実行するよう構成され、前記加重係数は前記基地局によって予め設定されるか、又は前記ユーザ装置によってフィードバックされる。
【００４１】
第１０の態様及び第１の可能な実現方式を参照して、第２の可能な実現方式では、前記送信機は、具体的には、
前記第１のパイロットアンテナポートに対応するリソースを使用することによって前記ユーザ装置に前記第１のパイロット信号を定期的に送信するよう構成される。
【００４２】
第１０の態様、第１の可能な実現方式及び第２の可能な実現方式を参照して、第３の可能な実現方式では、前記送信機は更に、
前記ユーザ装置に第２のコンフィギュレーション情報を送信するよう構成され、前記第２のコンフィギュレーション情報は前記第１のパイロット信号のコンフィギュレーションパラメータを示すのに使用される。
【００４３】
第１０の態様、第１の可能な実現方式、第２の可能な実現方式及び第３の可能な実現方式を参照して、第４の可能な実現方式では、前記送信機は更に、
前記ユーザ装置に第３のコンフィギュレーション情報を送信するよう構成され、前記第３のコンフィギュレーション情報は、前記基地局が前記ユーザ装置に第２のパイロット信号を送信すべきか示すのに使用される。
【００４４】
第４の可能な実現方式によると、第５の可能な実現方式では、前記送信機は更に、
前記第２のパイロットアンテナポートに対応するリソースを使用することによって前記ユーザ装置に第２のパイロット信号を不定期的に送信するよう構成される。
【００４５】
本発明の第１１の態様によると、ユーザ装置が提供され、
基地局の各パイロットアンテナポートグループに対応する送信周期において、前記パイロットアンテナポートグループに対応するリソースを使用することによってパイロット信号を受信するよう構成される受信機と、
前記パイロット信号に従ってチャネル品質を測定するよう構成されるプロセッサと、
を有し、
前記基地局のパイロットアンテナポートグループの送信周期は前記基地局によって決定される。
【００４６】
第１１の態様によると、第１の可能な実現方式では、前記受信機は更に、
第１のコンフィギュレーション情報を受信し、
前記第１のコンフィギュレーション情報に従って、前記ユーザ装置の専用の帯域幅で前記パイロット信号を受信するか、又は前記基地局に対応する全帯域幅で前記パイロット信号を受信するか決定するよう構成される。
【００４７】
本発明の第１２の態様によると、ユーザ装置が提供され、
第１のパイロットアンテナポートに対応するリソースを使用することによって、基地局によって送信される第１のパイロット信号を受信するよう構成される受信機を有し、前記第１のパイロットアンテナポートは少なくとも２つの第２のパイロットアンテナポートに従って前記基地局によって決定され、前記第１のパイロット信号はチャネル品質測定に使用される。
【００４８】
第１２の態様によると、第１の可能な実現方式では、前記受信機は更に、
前記基地局によって送信される第２のコンフィギュレーション情報を受信し、
前記第２のコンフィギュレーション情報に従って前記第１のパイロット信号のコンフィギュレーションパラメータを取得するよう構成される。
【００４９】
第１２の態様及び第１の可能な実現方式を参照して、第２の可能な実現方式では、前記受信機は更に、
前記基地局によって送信される第３のコンフィギュレーション情報を受信するよう構成され、前記第３のコンフィギュレーション情報は、前記基地局が前記ユーザ装置に第２のパイロット信号を送信すべきか示すのに使用される。
【００５０】
第２の可能な実現方式によると、第３の可能な実現方式では、前記受信機は更に、
前記第２のパイロットアンテナポートに対応するリソースを使用することによって、前記第２のパイロット信号を受信するよう構成される。
【００５１】
本発明の実施例におけるパイロット信号を送信する方法、基地局及びユーザ装置によると、基地局は、パイロットアンテナポートグループの送信周期を決定し、各パイロットアンテナポートグループに対応する送信周期において、ユーザ装置がパイロット信号に従ってチャネル品質を測定するように、パイロットアンテナポートグループに対応するリソースを使用することによってユーザ装置にパイロット信号を送信し、これにより、パイロット信号オーバヘッドを低下させる。
【図面の簡単な説明】
【００５２】
本発明の実施例又は従来技術における技術的解決策をより明確に説明するため、以下は、実施例又は従来技術を説明するのに必要な添付図面を簡単に説明する。明らかに、以下の説明における添付図面は本発明のいくつかの実施例を示し、当業者は、創作的な努力なく、これらの添付図面から他の図面を依然として導出してもよい。
【図１】図１は、本発明の実施例１によるパイロット信号を送信する方法のフローチャートである。
【図２】図２は、本発明の実施例２によるパイロット信号を送信する方法のフローチャートである。
【図３】図３は、本発明の実施例３によるパイロット信号を送信する方法のフローチャートである。
【図４】図４は、本発明の実施例４によるパイロット信号を送信する方法のフローチャートである。
【図５】図５は、本発明の実施例５による基地局とユーザ装置との間のインタラクションのフローチャートである。
【図６Ａ】図６Ａは、交差偏波における１６個のパイロットアンテナポートの概略図である。
【図６Ｂ】図６Ｂは、本発明の実施例５によるパイロットアンテナポートグループの概略図である。
【図６Ｃ】図６Ｃは、本発明の実施例５による他のパイロットアンテナポートグループの概略図である。
【図７】図７は、本発明の実施例６による基地局とユーザ装置との間のインタラクションのフローチャートである。
【図８】図８は、交差偏波における６４個のパイロットアンテナポートの概略図である。
【図９】図９は、本発明の実施例６によるビームの到来角の測定の概略図である。
【図１０】図１０は、本発明の実施例７による基地局の構成の概略図である。
【図１１】図１１は、本発明の実施例８による基地局の構成の概略図である。
【図１２】図１２は、本発明の実施例９によるユーザ装置の構成の概略図である。
【図１３】図１３は、本発明の実施例１０によるユーザ装置の構成の概略図である。
【図１４】図１４は、本発明の実施例１１による基地局の構成の概略図である。
【図１５】図１５は、本発明の実施例１２による基地局の構成の概略図である。
【図１６】図１６は、本発明の実施例１３によるユーザ装置の構成の概略図である。
【図１７】図１７は、本発明の実施例１４によるユーザ装置の構成の概略図である。
【発明を実施するための形態】
【００５３】
本発明の実施例の課題、技術的解決策及び効果をより明確にするため、以下は、本発明の実施例における添付図面を参照して、本発明の実施例における技術的解決策を明確且つ完全に説明する。明らかに、説明される実施例は、本発明の実施例の全てでなく一部である。創作的な努力なく本発明の実施例に基づき当業者により取得される他の全ての実施例は、本発明の保護範囲内に属する。
【００５４】
図１は、本発明の実施例１によるパイロット信号を送信する方法のフローチャートである。図１に示されるように、本実施例において提供されるパイロット信号を送信する方法は以下のステップを有してもよい。
【００５５】
ステップＳ１００：基地局は、パイロットアンテナポートグループの送信周期を決定する。
【００５６】
ステップＳ１０１：基地局は、各パイロットアンテナポートグループに対応する送信周期において、パイロットアンテナポートグループに対応するリソースを使用することによってユーザ装置にパイロット信号を送信する。
【００５７】
本実施例におけるステップは、基地局によって実行されてもよいし、又は中継ノードなどの装置によって実行されてもよい。
【００５８】
従来技術では、基地局は、パイロット信号に対応するアンテナポートを使用することによってパイロット信号を送信し、アンテナスケールが増加するに従って、パイロットアンテナポートの数もまた増加し、従って、パイロット信号のオーバヘッドもまた増加する。本実施例では、基地局は、パイロットアンテナポートを含むパイロットアンテナポートグループについて異なる送信周期を決定し、パイロットアンテナポートグループに対応するリソースを使用することによってユーザ装置にパイロット信号を送信する。
【００５９】
具体的には、基地局は、１つのパイロットアンテナポートグループとして複数のパイロットアンテナポートを決定し、パイロットアンテナポートグループの送信周期を決定してもよい。例えば、基地局は、同一の送信周期においてパイロット信号を送信するため、パイロットアンテナポートの間の相関に従って、１つのパイロットアンテナポートグループとして異なるパイロットアンテナポートを決定してもよい。
【００６０】
パイロットアンテナポートグループの周期を決定した後、基地局は、ユーザ装置にパイロット信号を送信してもよい。具体的には、基地局は、各パイロットアンテナポートグループに対応する周期において、パイロットアンテナポートグループに対応するリソースを使用することによって、すなわち、パイロットアンテナポートグループに対応する時間周波数リソース位置において、パイロット信号を送信してもよい。ここでは、パイロット信号は、チャネル品質を測定するためユーザ装置によって使用され、実際には、ＣＳＩ−ＲＳ、ＤＭＲＳなどであってもよい。
【００６１】
異なるパイロットアンテナポートグループの送信周期は同じであってもよいし、又は異なるものであってもよいことに留意すべきである。例えば、基地局は、長い周期のチャネル品質測定のためにパイロットアンテナポートの一部を指定し、これらのパイロットアンテナポートが属するパイロットアンテナポートグループが長い送信周期に対応するものであってもよく、短い周期のチャネル品質測定のためにその他のパイロットアンテナポートを指定し、これらのパイロットアンテナポートが属するパイロットアンテナポートグループが短い送信周期に対応するものであってもよい。
【００６２】
さらに、実際には、基地局はまず送信周期を決定し、それから、何れのパイロットアンテナポートがパイロット信号を送信するのに使用されるか毎回選択してもよい。実際、上記の処理はまた、異なるパイロットアンテナポートについて異なる送信周期を決定するためのものであり、従って、また本発明の保護範囲内に属する。
【００６３】
上記の実施例では、基地局は、パイロットアンテナポートグループの送信周期を決定し、各パイロットアンテナポートグループに対応する送信周期において、パイロットアンテナポートグループに対応するリソースを使用することによってユーザ装置にパイロット信号を送信する。全てのパイロットアンテナポートが同一の送信周期を利用する従来技術と比較して、パイロット信号のオーバヘッドが大きく低下する。
【００６４】
図２は、本発明の実施例２によるパイロット信号を送信する方法のフローチャートである。図２に示されるように、本実施例において提供されるパイロット信号を送信する方法は以下のステップを有してもよい。
【００６５】
ステップＳ２００：ユーザ装置は、基地局の各パイロットアンテナポートグループに対応する送信周期において、パイロットアンテナポートグループに対応するリソースを使用することによってパイロット信号を受信する。
【００６６】
ステップＳ２０１：ユーザ装置は、パイロット信号に従ってチャネル品質を測定する。
【００６７】
本実施例におけるステップは、実際にＬＴＥシステムに適用されるＵＥであってもよいユーザ装置（Ｕｓｅｒ  Ｅｑｕｉｐｍｅｎｔ，略してＵＥ）によって実行される。
【００６８】
具体的には、基地局がＵＥにパイロット信号を送信した後、ＵＥは、基地局によって送信されるパイロット信号を受信する必要がある。
【００６９】
さらに、基地局はパイロットアンテナポートグループの送信周期においてパイロット信号を送信するため、ＵＥは、送信周期において、パイロットアンテナポートに対応するリソースを使用することによって、すなわち、パイロットアンテナポートに対応する時間周波数リソース位置においてパイロット信号を受信する必要があり、このとき、ＵＥは、パイロット信号に従ってチャネル品質測定を実行してもよい。任意的には、チャネル品質測定を完了した後、ＵＥは、アップリンクチャネルを使用することによって、基地局に測定結果をフィードバックしてもよい。
【００７０】
上記の実施例では、ユーザ装置は、基地局の各パイロットアンテナポートグループに対応する送信周期において、パイロットアンテナポートグループに対応するリソースを使用することによってパイロット信号を受信し、パイロット信号に従ってチャネル品質を測定し、これにより、パイロット信号のオーバヘッドを低下させる。
【００７１】
図３は、本発明の実施例３によるパイロット信号を送信する方法のフローチャートである。図３に示されるように、本実施例において提供されるパイロット信号を送信する方法は以下のステップを有してもよい。
【００７２】
ステップＳ３００：１つの第１のパイロットアンテナポートとして少なくとも２つの第２のパイロットアンテナポートを決定する。
【００７３】
ステップＳ３０１：基地局は、第１のパイロットアンテナポートに対応するリソースを使用することによってユーザ装置に第１のパイロット信号を送信する。
【００７４】
本実施例におけるステップは、基地局によって実行されてもよいし、又は中継ノードなどの装置によって実行されてもよい。
【００７５】
従来技術では、基地局は、全てのパイロットアンテナポートを使用することによってパイロット信号を送信し、従って、アンテナスケールが増加するに従って、パイロット信号のオーバヘッドもまた増加する。本実施例では、基地局はまず１つの第１のパイロットアンテナポートとして少なくとも２つの第２のパイロットアンテナポートを決定し、これにより、パイロットオーバヘッドを低下させる。
【００７６】
実現可能な実現方式では、基地局は、重み付けなどの処理によって、１つの第１のパイロットアンテナポートとして複数の第２のパイロットアンテナポートを決定してもよい。ここでは、重み付けされた第２のパイロットアンテナポートの数は具体的には限定されず、実際には、パイロットオーバヘッド及び実際のアンテナポートの数に従って選択されてもよい。
【００７７】
他の実現可能な実現方式では、基地局はまた、第１のパイロットアンテナポートとして複数の第２のパイロットアンテナポートから１つの第２のパイロットアンテナポートを選択してもよく、実際には、当該選択はランダムであってもよいし、又は特定の第１のパイロットアンテナポートが第１のパイロットアンテナポートとして指定されてもよい。
【００７８】
第１のパイロットアンテナポートを決定した後、基地局は、第１のパイロットアンテナポートに対応するリソースを使用することによって、すなわち、第１のパイロットアンテナポートに対応する時間周波数リソース位置においてユーザ装置に第１のパイロット信号を送信してもよい。
【００７９】
具体的には、第１のパイロット信号はチャネル品質を測定するためユーザ装置によって使用され、例えば、ＣＳＩ−ＲＳ、ＤＭＲＳなどであってもよい。
【００８０】
上記の実施例では、少なくとも２つの第２のパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポートの数を低下させ、パイロット信号のオーバヘッドを更に低下させる。
【００８１】
図４は、本発明の実施例４によるパイロット信号を送信する方法のフローチャートである。図４に示されるように、本実施例において提供されるパイロット信号を送信する方法は以下のステップを有してもよい。
【００８２】
ステップＳ４００：ユーザ装置は、第１のパイロットアンテナポートに対応するリソースを使用することによって、基地局によって送信される第１のパイロット信号を受信する。
【００８３】
上記のステップは、実際にＬＴＥシステムに適用されるＵＥであってもよいユーザ装置によって実行される。
【００８４】
具体的には、基地局がＵＥに第１のパイロット信号を送信した後、ＵＥは、第１のパイロット信号を受信する必要がある。
【００８５】
さらに、ＵＥは、第１のパイロットアンテナポートに対応する時間周波数リソース位置において第１のパイロット信号を受信し、第１のパイロット信号を使用することによってチャネル品質測定を実行してもよい。
【００８６】
上記の実施例では、ユーザ装置は、少なくとも２つの第２のパイロットアンテナポートを使用することによって決定される第１のパイロットアンテナポートに対応するリソースを使用することによって第１のパイロット信号を受信し、第１のパイロット信号を使用することによってチャネル品質を測定し、これにより、パイロット信号のオーバヘッドを低下させる。
【００８７】
図５は、本発明の実施例５による基地局とユーザ装置との間のインタラクションのフローチャートである。図５に示されるように、本実施例における基地局とユーザ装置との間のインタラクションの処理は以下のステップを有してもよい。
【００８８】
ステップＳ５００：基地局は、パイロットアンテナポートグループの送信周期を決定する。
【００８９】
上記のステップは、基地局によって実行されてもよいし、又は中継ノードなどの装置によって実行されてもよい。
【００９０】
具体的には、基地局は、１つのパイロットアンテナポートグループとして複数のパイロットアンテナポートを決定し、それから、異なるパイロットアンテナポートグループについて対応する送信周期を決定してもよい。異なるパイロットアンテナポートグループは、異なる送信周期に対応する。
【００９１】
ＬＴＥリリース−１０プロトコル（Ｒｅｌｅａｓｅ−１０，略してＲｅｌ−１０）が具体例として使用される。当該プロトコルに規定されるダブルコードブック構造のチャネル品質測定方法では、最終的に使用されるトータルのプリコーディングマトリクスはＷによって示され、Ｗ＝Ｗ１＊Ｗ２である。Ｗ１は、帯域幅の長期のプリコーディング情報を示し、ＬＴＥの既存のコードブック構造に複数のビームを含むビームグループに対応する。Ｗ２は、帯域幅又はサブバンドの短期のプリコーディング情報であり、Ｗ１により示される上記のビームグループからビームを選択するのに使用され、また異なる偏波方向の間の位相回転を含む。実際には、ダブルコードブック構造における同一の偏波方向におけるパイロットアンテナポートの間の位相は強く相関し、すなわち、同一の偏波方向における何れか２つの近傍のパイロットアンテナポートの間の位相差は同じである。従って、本実施例では、上記の相関は、異なるパイロットアンテナポートグループについて異なる送信周期を設定するのに使用される。
【００９２】
具体的には、図６Ａは、交差偏波における１６個のパイロットアンテナポートの概略図である。図６Ａに示されるように、ｘ軸方向に沿ってプラス４５度の角度の８つの直線は８つのパイロットアンテナポートを示し、それらの偏波方向は第１の偏波方向であり、ｘ軸方向に沿ってマイナス４５度の角度の８つの直線は８つのパイロットアンテナポートを示し、それらの偏波方向は第２の偏波方向である。上記のダブルコードブック構造では、第１の偏波方向のプリコーディング情報及び第２の偏波方向のプリコーディング情報は強く相関し、すなわち、第２の偏波方向のプリコーディング情報は、第１の偏波方向のプリコーディング情報と比較して、１つの位相回転しか異なっていない。
【００９３】
さらに、図６Ｂは、本発明の実施例５によるパイロットアンテナポートグループの概略図である。図６Ｃは、本発明の実施例５による他のパイロットアンテナポートグループの概略図である。図６Ｂ及び図６Ｃに示されるように、上記のダブルコードブック構造におけるＷ１が測定されると、図６Ｂにおける第１の偏波方向に全てある８つのパイロットアンテナポートが１つのパイロットアンテナポートグループとして使用されてもよく、パイロットアンテナポートグループは、長期のプリコーディング情報Ｗ１を測定するためパイロット信号を送信するのに使用され、上記のダブルコードブック構造におけるＷ２が測定されるとき、Ｗ２は第１の偏波方向と第２の偏波方向との間の位相回転と特定のビーム選択とを示すため、図６Ｃにおける３つのパイロットアンテナポートが１つのパイロットアンテナポートグループとして使用されてもよく、パイロットアンテナポートグループは、短期のプリコーディング情報Ｗ２を測定するためにパイロット信号を送信するのに使用される。具体的には、測定中、双方が第１の偏波方向にあるパイロットアンテナポート１及びパイロットアンテナポート２におけるパイロット信号が、ビーム選択の測定を完了させるため測定されてもよく、異なる偏波方向にあるパイロットアンテナポート１及びパイロットアンテナポート３におけるパイロット信号が、２つの偏波方向の間の位相回転の測定を完了させるため測定されてもよい。
【００９４】
任意的には、Ｗ１は帯域幅の長期のプリコーディング情報を示すため、Ｗ１を測定するのに使用されるパイロットアンテナポートを含むパイロットアンテナポートグループの送信周期、すなわち、図６Ｂにおける８つのパイロットアンテナポートは、長い周期として設定されてもよい。Ｗ２は短期のプリコーディング情報に対応し、従って、Ｗ２を測定するのに使用されるパイロットポートを含むパイロットアンテナポートグループの送信周期、すなわち、図６Ｃにおける３つのパイロットアンテナポートは、短い周期として設定されてもよい。
【００９５】
例えば、ＬＴＥ  Ｒｅｌ−１０に規定される物理アップリンク制御チャネル（Ｐｈｙｓｉｃａｌ  Ｕｐｌｉｎｋ  Ｃｏｎｔｒｏｌ  Ｃｈａｎｎｅｌ，略してＰＵＣＣＨ）のフィードバックモード１−１のサブモード１が具体例として使用される。図６Ａにおけるパイロットアンテナポートのコンフィギュレーションに基づき、Ｗ１及びＷ２が従来技術で測定されるとき、各測定においてパイロット信号を送信するのに使用されるパイロットアンテナポートは常に１６個ある。ＰＭＩのフィードバック及び測定がＰＭＩに対応するパイロット信号の測定に完全に一致する場合、すなわち、各フィードバック周期において、第１のフィードバックタイムスロットにおいてＷ１を測定するため、パイロット信号の測定がＰＭＩのフィードバックタイムスロットと同じである場合、１６個のパイロットアンテナポートが、従来技術におけるパイロット信号を送信するのに使用される必要がある一方、本実施例の技術的解決策では、８つのパイロットアンテナポートしかパイロット信号を送信するのに使用される必要がない。第２のフィードバックタイムスロットにおいてＷ２を測定するため、１６個のパイロットアンテナポートが従来技術においてパイロット信号を送信するのに使用される必要がある一方、本実施例の技術的解決策では、３つのパイロットアンテナポートしかパイロット信号を送信するのに使用される必要がない。第３のフィードバックタイムスロットにおいてＷ２を測定するため、１６個のパイロットアンテナポートが従来技術においてパイロット信号を送信するのに使用される必要がある一方、本実施例の技術的解決策では、３つのパイロットアンテナポートしかパイロット信号を送信するのに使用される必要がない。第４のフィードバックタイムスロットにおいてＷ１を測定するため、１６個のパイロットアンテナポートが従来技術においてパイロット信号を送信するのに使用される必要がある一方、本実施例の技術的解決策では、８つのパイロットアンテナポートしかパイロット信号を送信するのに使用される必要がない。本実施例の技術的解決策はパイロット信号のオーバヘッドを大きく低下させることが理解できる。
【００９６】
交差偏波におけるパイロットアンテナポートがここでの具体例としてのみ使用されていることが留意されるべきである。実際には、本実施例の技術的解決策は、他の偏波方式であるパイロットアンテナポートに依然として適用可能である。
【００９７】
ステップＳ５０１：基地局は、ＵＥに第１のコンフィギュレーション情報を送信する。
【００９８】
上記のステップは基地局によって実行されてもよいし、又は中継ノードなどの装置によって実行されてもよい。
【００９９】
具体的には、基地局は、ＵＥに第１のコンフィギュレーション情報を送信してもよく、ここで、第１のコンフィギュレーション情報は、基地局がＵＥの専用の帯域幅でパイロット信号を送信すべきか、又は基地局に対応する全帯域幅でパイロット信号を送信すべきか示すのに使用される。
【０１００】
実際には、ＵＥによって占有される専用の帯域幅は、通常は基地局に対応する全帯域幅以下であり、従って、ＵＥによって実際に占有される専用の帯域幅でパイロット信号を送信することは、パイロット信号のオーバヘッドを低下させうる。
【０１０１】
具体的には、第１のコンフィギュレーション情報は、ダウンリンク制御情報（Ｄｏｗｎｌｉｎｋ  Ｃｏｎｔｒｏｌ  Ｉｎｆｏｒｍａｔｉｏｎ，略してＤＣＩ）であってもよい。任意的には、ＤＣＩは第１のフラグビットを搬送してもよく、第１のフラグビットは、パイロット信号が専用の帯域幅で送信されるべきか、又は全帯域幅で送信されるべきか示すのに使用される。具体的には、１ビットが、第１のフラグビットとしてＤＣＩのフィールドに追加されてもよい。第１のフラグビットが０であるとき、それは、パイロット信号が基地局に対応する全帯域幅で送信されるべきであることを示す。第１のフラグビットが１であるとき、それは、パイロット信号がＵＥの専用の帯域幅で、すなわち、ＤＣＩによってスケジューリングされた帯域幅の範囲で送信されるべきであることを示す。
【０１０２】
さらに、パイロット信号は、チャネル状態指示−リファレンス信号ＣＳＩ−ＲＳであってもよい。この場合、第１のコンフィギュレーション情報は、ＣＳＩ−ＲＳの送信帯域幅を示すのに使用されてもよい。
【０１０３】
さらにまた、ＤＭ−ＲＳがＵＥの専用の帯域幅で送信されるため、従来技術におけるＤＭ−ＲＳがまた、パイロット信号として再利用されてもよい。この場合、１ビットがまた、現在のパイロット信号、すなわち、ＤＭ−ＲＳに基づきチャネル品質を測定すべきか示すため、第１のフラグビットとしてＤＣＩに追加されてもよい。例えば、第１のフラグビットが０であるとき、それは、ＤＭ−ＲＳがチャネル品質を測定するのに使用されないことを示し、第１のフラグビットが１であるとき、それは、ＤＭ−ＲＳがチャネル品質を測定するのに使用されることを示す。従来技術におけるＤＭ−ＲＳが送信されるべきであるとき、復調プリコーディングマトリクスがプリコーディングのため使用される必要があり、ＤＭ−ＲＳがチャネル品質測定のため使用される場合、ＤＭ−ＲＳに対応する復調プリコーディングマトリクスは単位行列として設定される必要があることが留意されるべきである。
【０１０４】
ステップＳ５０２：基地局は、各パイロットアンテナポートグループに対応する送信周期において、パイロットアンテナポートグループに対応するリソースを使用することによってＵＥにパイロット信号を送信する。
【０１０５】
上記のステップは、基地局によって実行されてもよいし、又は中継ノードなどの装置によって実行されてもよい。
【０１０６】
当該ステップの説明はステップＳ１０１のものと同じであり、ここでは詳細は再説明されない。
【０１０７】
ステップＳ５０３：ＵＥは、第１のコンフィギュレーション情報を受信する。
【０１０８】
上記のステップは、実際にはＬＴＥシステムに適用されるＵＥであってもよいＵＥによって実行される。
【０１０９】
具体的には、基地局がＵＥに第１のコンフィギュレーション情報を送信した後、ＵＥは、第１のコンフィギュレーション情報を受信する必要がある。
【０１１０】
ステップＳ５０４：ＵＥは、第１のコンフィギュレーション情報に従って、ＵＥの専用の帯域幅でパイロット信号を受信すべきか、基地局に対応する全帯域幅でパイロット信号を受信すべきか決定する。
【０１１１】
上記のステップは、実際にはＬＴＥシステムに適用されるＵＥであってもよいＵＥによって実行される。
【０１１２】
具体的には、ステップＳ５０１の説明から、第１のコンフィギュレーション情報は、基地局が基地局に対応する全帯域幅又はＵＥの専用の帯域幅でパイロット信号を送信するかＵＥに通知するのに使用されることが理解できる。従って、第１のコンフィギュレーション情報を受信した後、ＵＥは、第１のコンフィギュレーション情報に従って、基地局がパイロット信号を送信する帯域幅を決定し、対応する帯域幅でパイロット信号を受信してもよい。すなわち、第１のコンフィギュレーション情報が、基地局が基地局に対応する全帯域幅でパイロット信号を送信したことを示す場合、ＵＥは、基地局に対応する全帯域幅でパイロット信号を受信することを決定してもよく、第１のコンフィギュレーション情報が、ＵＥがＵＥの専用の帯域幅でパイロット信号を受信すべきであることを示す場合、ＵＥは、ＵＥの専用の帯域幅でパイロット信号を受信することを決定してもよい。
【０１１３】
ステップＳ５０５：ＵＥは、基地局の各パイロットアンテナポートグループに対応する送信周期において、パイロットアンテナポートグループに対応するリソースを使用することによって、パイロット信号を受信する。
【０１１４】
上記のステップは、実際にはＬＴＥシステムに適用されるＵＥであってもよいＵＥによって実行される。
【０１１５】
当該ステップの説明は、ステップＳ２００のものと同じであり、ここでは詳細は再説明されない。
【０１１６】
ステップＳ５０６：ＵＥは、パイロット信号に従ってチャネル品質を測定する。
【０１１７】
上記のステップは、実際にはＬＴＥシステムに適用されるＵＥであってもよいＵＥによって実行される。
【０１１８】
当該ステップの説明は、ステップＳ２０１のものと同じであり、ここでは詳細は再説明されない。
【０１１９】
上記の実施例では、基地局は、パイロットアンテナポートグループの送信周期を決定し、各パイロットアンテナポートグループに対応する送信周期において、ＵＥがパイロット信号に従ってチャネル品質を測定するように、パイロットアンテナポートグループに対応するリソースを使用することによって、ＵＥにパイロット信号を送信し、これにより、パイロット信号のオーバヘッドを低下させる。
【０１２０】
図７は、本発明の実施例６による基地局とＵＥとの間のインタラクションのフローチャートである。図７に示されるように、本実施例における基地局とＵＥとの間のインタラクションの処理は以下のステップを有してもよい。
【０１２１】
ステップＳ６００：基地局は、１つの第１のパイロットアンテナポートとして少なくとも２つの第２のパイロットアンテナポートを決定する。
【０１２２】
上記のステップは、基地局によって実行されてもよいし、又は中継ノードなどの装置によって実行されてもよい。
【０１２３】
具体的には、パイロット信号のオーバヘッドを低下させるため、基地局はまず、１つの第１のパイロットアンテナポートとして２つ以上の第２のパイロットアンテナポートを決定してもよい。
【０１２４】
さらに、基地局は、第１のパイロットアンテナポートを取得するため、加重係数を使用することによって、第２のパイロットアンテナポートの各々に対して重み付けを実行してもよい。ここでは、加重係数は、基地局によって予め設定されてもよいし、又はＵＥによってフィードバックされてもよい。実際には、ＵＥが、ステップＳ６００が実行される前に加重係数をフィードバックした場合、基地局は、ＵＥによってフィードバックされた加重係数、又は基地局によって予め設定された加重係数を使用することによって重み付けを実行してもよく、ＵＥが、ステップＳ６００が実行される前に加重係数をフィードバックしなかった場合、基地局は、基地局によって予め設定された加重係数を使用することによって重み付けを実行する。
【０１２５】
任意的には、上記のステップＳ６００は定期的に実行されてもよく、すなわち、各周期において、基地局は、同じ加重係数を使用することによって第１のパイロットアンテナポートを決定し、異なる周期が異なる加重係数に対応してもよい。
【０１２６】
ステップＳ６０１：基地局は、ＵＥに第２のコンフィギュレーション情報を送信する。
【０１２７】
上記のステップは、基地局によって実行されてもよいし、又は中継ノードなどの装置によって実行されてもよい。
【０１２８】
具体的には、第２のコンフィギュレーション情報は、第１のパイロット信号のコンフィギュレーションパラメータを通知するのに使用される。
【０１２９】
さらに、コンフィギュレーションパラメータは、ＵＥに第１のパイロット信号を送信するのに使用される第１のパイロットアンテナポートの番号及び数、基地局によってＵＥに送信される第１のパイロット信号に対応するスクランブリングコード系列、基地局によってＵＥに送信される第１のパイロット信号に対応する時間周波数リソース位置などを含むものであってもよい。
【０１３０】
実際には、第２のコンフィギュレーション情報はＤＣＩであってもよい。任意的には、ＤＣＩは第２のフラグビットを搬送してもよく、第２のフラグビットは、第１のパイロット信号のコンフィギュレーションパラメータを示すのに使用される。
【０１３１】
ステップＳ６０２：基地局は、ＵＥに第３のコンフィギュレーション情報を送信する。
【０１３２】
上記のステップは、基地局によって実行されてもよいし、又は中継ノードなどの装置によって実行されてもよい。
【０１３３】
具体的には、第３のコンフィギュレーション情報は、基地局がＵＥに第２のパイロット信号を送信すべきか示すのに使用される。ここでは、第２のパイロット信号は、次回の加重係数を生成するのに使用される。
【０１３４】
さらに、第３のコンフィギュレーション情報が、基地局がＵＥに第２のパイロット信号を送信すべきであることを示す場合、ＵＥは、ステップＳ６００において第２のパイロットアンテナポートが重み付けされるときに使用される加重係数を生成するため、第２のパイロット信号を測定し、ステップＳ６００が次回に実行されるときに基地局が使用する加重係数を基地局にフィードバックしてもよい。
【０１３５】
またさらに、第３のコンフィギュレーション情報はＤＣＩであってもよい。任意的には、ＤＣＩは第３のフラグビットを搬送してもよく、第３のフラグビットは、基地局がＵＥに第２のパイロット信号を送信すべきか示すのに使用される。
【０１３６】
ステップＳ６０３：基地局は、第２のパイロットアンテナポートに対応するリソースを使用することによって、ＵＥに第２のパイロット信号を送信する。
【０１３７】
上記のステップは、基地局によって実行されてもよいし、又は中継ノードなどの装置によって実行されてもよい。
【０１３８】
具体的には、第３のコンフィギュレーション情報が、基地局がＵＥに第２のパイロット信号を送信すべきであることを示す場合、基地局は、第２のパイロットアンテナポートに対応する時間周波数リソースを使用することによって、ＵＥに第２のパイロット信号を送信してもよい。
【０１３９】
任意的には、基地局は、ＵＥに第２のパイロット信号を不定期的に送信してもよい。
【０１４０】
実際には、ステップＳ６０１はまた、ステップＳ６０２及びＳ６０３の後に実行されてもよく、ここでは限定されないことが留意されるべきである。さらに、ステップＳ６０３は、第３のコンフィギュレーション情報が、基地局が第２のパイロット信号を送信すべきであることを示した後に実行される。
【０１４１】
ステップＳ６０４：基地局は、第１のパイロットアンテナポートに対応するリソースを使用することによって、ＵＥに第１のパイロット信号を送信する。
【０１４２】
上記のステップは、基地局によって実行されてもよいし、又は中継ノードなどの装置によって実行されてもよい。
【０１４３】
具体的には、基地局は、第１のパイロットアンテナポートに対応する時間周波数リソースを使用することによって、ＵＥに第１のパイロット信号を送信してもよい。
【０１４４】
任意的には、基地局は、第１のパイロット信号を定期的に送信してもよい。
【０１４５】
ステップＳ６０５：ＵＥは、基地局によって送信される第２のコンフィギュレーション情報を受信する。
【０１４６】
上記のステップは、実際にはＬＴＥシステムに適用されるＵＥであってもよいユーザ装置によって実行される。
【０１４７】
具体的には、基地局がＵＥに第２のコンフィギュレーション情報を送信した後、ＵＥは、第２のコンフィギュレーション情報を受信する必要がある。
【０１４８】
ステップＳ６０６：ＵＥは、第２のコンフィギュレーション情報に従って第１のパイロット信号のコンフィギュレーションパラメータを取得する。
【０１４９】
上記のステップは、実際にはＬＴＥシステムに適用されるＵＥであってもよいユーザ装置によって実行される。
【０１５０】
具体的には、第２のコンフィギュレーション情報が、第１のパイロット信号のコンフィギュレーションパラメータを示すのに使用されるため、ＵＥは、第２のコンフィギュレーション情報に従って、第１のパイロット信号を送信するのに使用される第１のパイロットアンテナポートの番号及び数、第１のパイロット信号に対応するスクランブリングコード系列、第１のパイロット信号に対応する時間周波数リソース位置などを取得してもよい。
【０１５１】
ステップＳ６０７：ＵＥは、基地局によって送信される第３のコンフィギュレーション情報を受信する。
【０１５２】
上記のステップは、実際にはＬＴＥシステムに適用されるＵＥであってもよいユーザ装置によって実行される。
【０１５３】
具体的には、基地局がＵＥに第３のコンフィギュレーション情報を送信した後、ＵＥは、第２のパイロット信号を受信するか決定するため、第３のコンフィギュレーション情報を受信してもよい。
【０１５４】
実際には、特に基地局がＵＥに第２のパイロット信号を送信しないとき、基地局はＵＥにアクティブに通知し、ＵＥは第２のパイロット信号の受信に関する処理を実行しなくてもよい。
【０１５５】
ステップＳ６０８：ＵＥは、第２のパイロットアンテナポートに対応するリソースを使用することによって、第２のパイロット信号を受信する。
【０１５６】
上記のステップは、実際にはＬＴＥシステムに適用されるＵＥであってもよいユーザ装置によって実行される。
【０１５７】
具体的には、第３のコンフィギュレーション情報が、基地局が第２のパイロット信号を送信したことを示すとき、ＵＥは、第２のパイロットアンテナポートに対応する時間周波数リソース位置で第２のパイロット信号を受信してもよい。
【０１５８】
任意的には、第２のパイロット信号を受信した後、ＵＥは、第２のパイロット信号を使用することによってチャネル品質測定を実行し、ステップＳ６００が次回に実行されるときに基地局によって使用される必要がある加重係数を生成し、それから、アップリンクチャネルを使用することによって基地局に加重係数をフィードバックしてもよい。
【０１５９】
ここでは、ステップＳ６０５及びステップＳ６０６の順序とステップＳ６０７及びステップＳ６０８の順序しか限定されていないが、上記の２つのステップの組の間の順序は基地局側の処理、すなわち、ステップＳ６０１〜Ｓ６０３と整合しさえすればよく、ここでは具体的には限定されないことが留意されるべきである。
【０１６０】
ステップＳ６０９：ＵＥは、第１のパイロットアンテナポートに対応するリソースを使用することによって、基地局によって送信される第１のパイロット信号を受信する。
【０１６１】
上記のステップは、実際にはＬＴＥシステムに適用されるＵＥであってもよいユーザ装置によって実行される。
【０１６２】
当該ステップの説明はステップＳ４００のものと同じであり、ここでは詳細は再説明されない。
【０１６３】
上記のステップＳ６００〜Ｓ６０９は、具体例を使用することによって、具体的に以下に説明される。
【０１６４】
図８は、交差偏波における６４個のパイロットアンテナポートの概略図である。図８に示されるように、ｘ軸方向に沿ったプラス４５度の角度の３２本の直線は３２個の第２のパイロットアンテナポートを示し、ｘ軸方向に沿ったマイナス４５度の角度の３２本の直線はまた３２個の第２のパイロットアンテナポートを示す。さらに、実際には、ＵＥは、到来角に基づく測定によってプリコーディング情報を取得し、基地局にプリコーディング情報をフィードバックしてもよい。図９は、本発明の実施例６によるビームの到来角の測定の概略図である。図９に示されるように、図において黒で充填された円はＵＥの物理的アンテナを示し、基地局からのビームがＵＥの物理的アンテナに到来するとき、到来角と物理的アンテナとの間の角度はαによって示され、ＵＥの２つの近傍の物理的アンテナの間の距離はｄであり、従って、ＵＥの第１の物理的アンテナとｋ番目の物理的アンテナとの間の距離はｄ＊（ｋ−１）である。
【０１６５】
上記の図８及び図９の説明に基づき、基地局はまず、加重係数を使用することによって第１のパイロットアンテナポートとして第２のパイロットアンテナポートを重み付けしてもよく、例えば、まずマイナス４５度の角度で第１のパイロットアンテナポートを形成するため、図８においてプラス４５度の角度にある各行における８つの第２のパイロットアンテナポートに対して重み付けを実行し、それから、マイナス４５度の角度で第１のパイロットアンテナポートを形成するため、図８においてマイナス４５度の角度にある各行における８つの第２のパイロットアンテナポートに対して重み付けを実行してもよい。このようにして、重み付けによって、６４個の第２のパイロットアンテナポートが、図８における８つの第１のパイロットアンテナポートを生成するのに使用されてもよい。
【０１６６】
任意的には、式
【０１６７】
【数１】
2017508318.tif 000003
は、上記の決定された第１のパイロットアンテナポートの加重係数として使用されてもよく、ここで、ＷＧＯＢは上記の加重係数を示し、ｍは第１のパイロットアンテナポートを形成するのに使用されるｍ番目の第２のパイロットアンテナポートを示し、ここでは値は１〜８であり、λは光波の波長を示し、ｋは第１のパイロットアンテナポートの総数を示し、ここでは８であり、従って、ＷＧＯＢのサイズは８行＊１列である。
【０１６８】
式（１）に基づき、合計で６４個の第２のパイロットアンテナポートについて、固定的な位相差８αは、主偏波方向における何れか２つの近傍の第１のパイロットアンテナポート間、すなわち、図８における２つの近傍の第１のパイロットアンテナポート間だけ異なり、従って、図８における６４個の第２のパイロットアンテナポートについて、８つの第１のパイロットアンテナポートの生成された合計の加重係数は、
【０１６９】
【数２】
2017508318.tif 000004
である具体的な式によって、ＷＢＦにより示されてもよい。
【０１７０】
８つの第１のパイロットアンテナポートを決定した後、基地局は、８つの第１のパイロットアンテナポートを使用することによって第１のパイロット信号を送信してもよい。第１のパイロット信号を受信した後、ＵＥは、プリコーディングマトリクスＷｐを取得し、ＷＢＦ＊Ｗｐを用いることによって包括的なプリコーディングマトリクスを計算するため、第１のパイロット信号に対してチャネル品質測定を実行し、それから、基地局に包括的なプリコーディングマトリクスをフィードバックしてもよい。
【０１７１】
上記の実施例では、少なくとも２つの第２のパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポートの数を低下させ、パイロット信号のオーバヘッドを更に低下させる。
【０１７２】
図１０は、本発明の実施例７による基地局の構成の概略図である。図１０に示されるように、本実施例において提供される基地局は決定モジュール１０及び送信モジュール１１を有する。
【０１７３】
具体的には、決定モジュール１０は、パイロットアンテナポートグループの送信周期を決定するよう構成され、送信モジュール１１は、各パイロットアンテナポートグループに対応する送信周期において、ユーザ装置がパイロット信号に従ってチャネル品質を測定するように、パイロットアンテナポートグループに対応するリソースを使用することによってユーザ装置にパイロット信号を送信するよう構成される。
【０１７４】
さらに、送信モジュール１１は更に、ユーザ装置に第１のコンフィギュレーション情報を送信するよう構成され、ここで、第１のコンフィギュレーション情報は、パイロット信号が、ユーザ装置の専用の帯域幅で送信されるべきか、又は基地局に対応する全帯域幅で送信されるべきかを示すのに使用される。
【０１７５】
上記の実施例では、基地局は、パイロットアンテナポートグループの送信周期を決定し、各パイロットアンテナポートグループに対応する送信周期において、パイロットアンテナポートグループに対応するリソースを使用することによって、ユーザ装置にパイロット信号を送信し、これにより、パイロット信号のオーバヘッドを低下させる。
【０１７６】
図１１は、本発明の実施例８による基地局の構成の概略図である。図１１に示されるように、本実施例において提供される基地局は、決定モジュール２０及び送信モジュール２１を有する。
【０１７７】
具体的には、決定モジュール２０は、１つの第１のパイロットアンテナポートとして少なくとも２つの第２のパイロットアンテナポートを決定するよう構成され、送信モジュール２１は、第１のパイロットアンテナポートに対応するリソースを使用することによってユーザ装置に第１のパイロット信号を送信するよう構成され、ここで、第１のパイロット信号はチャネル品質測定に使用される。
【０１７８】
さらに、決定モジュール２０は、具体的には、第１のパイロットアンテナポートを取得するため、加重係数を使用することによって第２のパイロットアンテナポートの各々に対して重み付けを実行するよう構成され、ここで、加重係数は基地局によって予め設定されるか、又はユーザ装置によってフィードバックされる。
【０１７９】
さらにまた、送信モジュール２１は、具体的には、第１のパイロットアンテナポートに対応するリソースを使用することによってユーザ装置に第１のパイロット信号を定期的に送信するよう構成される。
【０１８０】
さらにまた、送信モジュール２１は更に、ユーザ装置に第２のコンフィギュレーション情報を送信するよう構成され、ここで、第２のコンフィギュレーション情報は第１のパイロット信号のコンフィギュレーションパラメータを示すのに使用される。
【０１８１】
さらにまた、送信モジュール２１は更に、ユーザ装置に第３のコンフィギュレーション情報を送信するよう構成され、ここで、第３のコンフィギュレーション情報は、基地局がユーザ装置に第２のパイロット信号を送信すべきか示すのに使用される。
【０１８２】
さらにまた、送信モジュール２１は更に、第２のパイロットアンテナポートに対応するリソースを使用することによってユーザ装置に第２のパイロット信号を不定期的に送信するよう構成される。
【０１８３】
上記の実施例では、少なくとも２つのパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポート数を低下させ、パイロット信号のオーバヘッドを更に低下させる。
【０１８４】
図１２は、本発明の実施例９によるユーザ装置の構成の概略図である。図１２に示されるように、本実施例において提供されるユーザ装置は、受信モジュール３０及び測定モジュール３１を有する。
【０１８５】
具体的には、受信モジュール３０は、基地局の各パイロットアンテナポートグループに対応する送信周期において、パイロットアンテナポートグループに対応するリソースを使用することによってパイロット信号を受信するよう構成され、測定モジュール３１は、パイロット信号に従ってチャネル品質を測定するよう構成され、ここで、基地局のパイロットアンテナポートグループの送信周期は基地局によって決定される。
【０１８６】
さらに、受信モジュール３０は更に、第１のコンフィギュレーション情報を受信し、第１のコンフィギュレーション情報に従って、ユーザ装置の専用の帯域幅でパイロット信号を受信するか、又は基地局に対応する全帯域幅でパイロット信号を受信するか決定するよう構成される。
【０１８７】
上記実施例では、ユーザ装置は、基地局の各パイロットアンテナポートグループに対応する送信周期において、パイロットアンテナポートグループに対応するリソースを使用することによってパイロット信号を受信し、パイロット信号に従ってチャネル品質を測定し、これにより、パイロット信号のオーバヘッドを低下させる。
【０１８８】
図１３は、本発明の実施例１０によるユーザ装置の構成の概略図である。図１３に示されるように、本実施例において提供されるユーザ装置は受信モジュール４０を有する。
【０１８９】
具体的には、受信モジュール４０は、第１のパイロットアンテナポートに対応するリソースを使用することによって、基地局によって送信される第１のパイロット信号を受信するよう構成され、ここで、第１のパイロットアンテナポートは少なくとも２つの第２のパイロットアンテナポートに従って基地局によって決定され、第１のパイロット信号はチャネル品質測定に使用される。
【０１９０】
さらに、受信モジュール４０は更に、基地局によって送信される第２のコンフィギュレーション情報を受信し、第２のコンフィギュレーション情報に従って第１のパイロット信号のコンフィギュレーションパラメータを取得するよう構成される。
【０１９１】
さらにまた、受信モジュール４０は更に、基地局によって送信される第３のコンフィギュレーション情報を受信するよう構成され、ここで、第３のコンフィギュレーション情報は、基地局がユーザ装置に第２のパイロット信号を送信すべきか示すのに使用される。
【０１９２】
さらにまた、受信モジュール４０は更に、第２のパイロットアンテナポートに対応するリソースを使用することによって、第２のパイロット信号を受信するよう構成される。
【０１９３】
上記の実施例では、ユーザ装置は、少なくとも２つの第２のパイロットアンテナポートを使用することによって決定された第１のパイロットアンテナポートに対応するリソースを使用することによって第１のパイロット信号を受信し、第１のパイロット信号を使用することによってチャネル品質を測定し、これにより、パイロット信号のオーバヘッドを低下させる。
【０１９４】
図１４は、本発明の実施例１１による基地局の構成の概略図である。図１４に示されるように、本実施例において提供される基地局は、プロセッサ５０及び送信機５１を有する。
【０１９５】
具体的には、プロセッサ５０は、パイロットアンテナポートグループの送信周期を決定するよう構成され、送信機５１は、各パイロットアンテナポートグループに対応する送信周期において、ユーザ装置がパイロット信号に従ってチャネル品質を測定するように、パイロットアンテナポートグループに対応するリソースを使用することによってユーザ装置にパイロット信号を送信するよう構成される。
【０１９６】
さらに、送信機５０は更に、ユーザ装置に第１のコンフィギュレーション情報を送信するよう構成され、ここで、第１のコンフィギュレーション情報は、パイロット信号が、ユーザ装置の専用の帯域幅で送信されるべきか、又は基地局に対応する全帯域幅で送信されるべきかを示すのに使用される。
【０１９７】
上記の実施例では、基地局は、パイロットアンテナポートグループの送信周期を決定し、各パイロットアンテナポートグループに対応する送信周期において、パイロットアンテナポートグループに対応するリソースを使用することによって、ユーザ装置にパイロット信号を送信し、これにより、パイロット信号のオーバヘッドを低下させる。
【０１９８】
図１５は、本発明の実施例１２による基地局の構成の概略図である。図１５に示されるように、本実施例において提供される基地局は、プロセッサ６０及び送信機６１を有する。
【０１９９】
具体的には、プロセッサ６０は、１つの第１のパイロットアンテナポートとして少なくとも２つの第２のパイロットアンテナポートを決定するよう構成され、送信機６１は、第１のパイロットアンテナポートに対応するリソースを使用することによってユーザ装置に第１のパイロット信号を送信するよう構成され、ここで、第１のパイロット信号はチャネル品質測定に使用される。
【０２００】
さらに、プロセッサ６０は、具体的には、第１のパイロットアンテナポートを取得するため、加重係数を使用することによって第２のパイロットアンテナポートの各々に対して重み付けを実行するよう構成され、ここで、加重係数は基地局によって予め設定されるか、又はユーザ装置によってフィードバックされる。
【０２０１】
さらにまた、送信機６１は、具体的には、第１のパイロットアンテナポートに対応するリソースを使用することによってユーザ装置に第１のパイロット信号を定期的に送信するよう構成される。
【０２０２】
さらにまた、送信機６１は更に、ユーザ装置に第２のコンフィギュレーション情報を送信するよう構成され、ここで、第２のコンフィギュレーション情報は第１のパイロット信号のコンフィギュレーションパラメータを示すのに使用される。
【０２０３】
さらにまた、送信機６１は更に、ユーザ装置に第３のコンフィギュレーション情報を送信するよう構成され、ここで、第３のコンフィギュレーション情報は、基地局がユーザ装置に第２のパイロット信号を送信すべきか示すのに使用される。
【０２０４】
さらにまた、送信機６１は更に、第２のパイロットアンテナポートに対応するリソースを使用することによってユーザ装置に第２のパイロット信号を不定期的に送信するよう構成される。
【０２０５】
上記の実施例では、少なくとも２つの第２のパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポートの数を低下させ、パイロット信号のオーバヘッドを更に低下させる。
【０２０６】
図１６は、本発明の実施例１３によるユーザ装置の構成の概略図である。図１６に示されるように、本実施例において提供されるユーザ装置は、受信機７０及びプロセッサ７１を有する。
【０２０７】
具体的には、受信機７０は、基地局の各パイロットアンテナポートグループに対応する送信周期において、パイロットアンテナポートグループに対応するリソースを使用することによってパイロット信号を受信するよう構成され、プロセッサ７１は、パイロット信号に従ってチャネル品質を測定するよう構成され、ここで、基地局のパイロットアンテナポートグループの送信周期は基地局によって決定される。
【０２０８】
さらに、受信機７０は更に、第１のコンフィギュレーション情報を受信し、第１のコンフィギュレーション情報に従って、ユーザ装置の専用の帯域幅でパイロット信号を受信するか、又は基地局に対応する全帯域幅でパイロット信号を受信するか決定するよう構成される。
【０２０９】
上記の実施例では、ユーザ装置は、基地局の各パイロットアンテナポートグループに対応する送信周期において、パイロットアンテナポートグループに対応するリソースを使用することによってパイロット信号を受信し、パイロット信号に従ってチャネル品質を測定し、これにより、パイロット信号のオーバヘッドを低下させる。
【０２１０】
図１７は、本発明の実施例１４によるユーザ装置の構成の概略図である。図１７に示されるように、本実施例において提供されるユーザ装置は受信機８０を有する。
【０２１１】
具体的には、受信機８０は、第１のパイロットアンテナポートに対応するリソースを使用することによって、基地局によって送信される第１のパイロット信号を受信するよう構成され、ここで、第１のパイロットアンテナポートは少なくとも２つの第２のパイロットアンテナポートに従って基地局によって決定され、第１のパイロット信号はチャネル品質測定に使用される。
【０２１２】
さらに、受信機８０は更に、基地局によって送信される第２のコンフィギュレーション情報を受信し、第２のコンフィギュレーション情報に従って第１のパイロット信号のコンフィギュレーションパラメータを取得するよう構成される。
【０２１３】
さらにまた、受信機８０は更に、基地局によって送信される第３のコンフィギュレーション情報を受信するよう構成され、ここで、第３のコンフィギュレーション情報は、基地局がユーザ装置に第２のパイロット信号を送信すべきか示すのに使用される。
【０２１４】
さらにまた、受信機８０は更に、第２のパイロットアンテナポートに対応するリソースを使用することによって、第２のパイロット信号を受信するよう構成される。
【０２１５】
上記の実施例では、ユーザ装置は、少なくとも２つの第２のパイロットアンテナポートを使用することによって決定される第１のパイロットアンテナポートに対応するリソースを使用することによって第１のパイロット信号を受信し、第１のパイロット信号を使用することによってチャネル品質を測定し、これにより、パイロット信号のオーバヘッドを低下させる。
【０２１６】
当業者は方法の実施例のステップの全て又は一部が関連するハードウェアにプログラムが指示することによって実現されうることを理解しうる。プログラムは、コンピュータ可読記憶媒体に記憶されてもよい。プログラムが実行されると、方法の実施例のステップが実行される。上記の記憶媒体は、ＲＯＭ、ＲＡＭ、磁気ディスク又は光ディスクなどのプログラムコードを記憶可能な何れかの媒体を含む。
【０２１７】
最後に、上記の実施例は本発明の技術的解決策を説明することを単に意図しており、本発明を限定することを意図していないことが留意されるべきである。本発明は上記の実施例を参照して詳細に説明されるが、当業者は、本発明の実施例の技術的解決策の範囲から逸脱することなく、上記の実施例において説明された技術的解決策に対して依然として修正を行ってもよいし、又はそれの一部又は全ての技術的特徴に対して等価な置換を行ってもよいことを理解すべきである。
【図１】
2017508318.tif 000005
【図２】
2017508318.tif 000006
【図３】
2017508318.tif 000007
【図４】
2017508318.tif 000008
【図５】
2017508318.tif 000009
【図６Ａ】
2017508318.tif 000010
【図６Ｂ】
2017508318.tif 000011
【図６Ｃ】
2017508318.tif 000012
【図７】
2017508318.tif 000013
【図８】
2017508318.tif 000014
【図９】
2017508318.tif 000015
【図１０】
2017508318.tif 000016
【図１１】
2017508318.tif 000017
【図１２】
2017508318.tif 000018
【図１３】
2017508318.tif 000019
【図１４】
2017508318.tif 000020
【図１５】
2017508318.tif 000021
【図１６】
2017508318.tif 000022
【図１７】
2017508318.tif 000023
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
パイロット信号を送信する方法であって、
基地局が、パイロットアンテナポートグループの送信周期を決定するステップと、
前記基地局が、各パイロットアンテナポートグループに対応する送信周期において、ユーザ装置が前記パイロット信号に従ってチャネル品質を測定するように、前記パイロットアンテナポートグループに対応するリソースを使用することによって前記ユーザ装置にパイロット信号を送信するステップと、
を有し、
異なるパイロットアンテナポートグループは、異なる送信周期に対応する方法。
【請求項２】
前記基地局が、各パイロットアンテナポートグループに対応する送信周期において、前記パイロットアンテナポートグループを使用することによってパイロット信号を送信するステップの前に、
前記基地局が、前記ユーザ装置に第１のコンフィギュレーション情報を送信するステップであって、前記第１のコンフィギュレーション情報は、前記パイロット信号が、前記ユーザ装置の専用の帯域幅で送信されるべきか、又は前記基地局に対応する全帯域幅で送信されるべきかを示すのに使用される、送信するステップを更に有する、請求項１記載の方法。
【請求項３】
前記第１のコンフィギュレーション情報はダウンリンク制御情報ＤＣＩであり、前記ＤＣＩは第１のフラグビットを搬送し、前記第１のフラグビットは、前記パイロット信号が前記専用の帯域幅で送信されるべきか、又は前記全帯域幅で送信されるべきかを示すのに使用される、請求項２記載の方法。
【請求項４】
前記パイロット信号は、復調プリコーディングマトリクスとして単位行列を使用したチャネル状態情報−リファレンス信号ＣＳＩ−ＲＳ又はダウンリンク復調リファレンス信号ＤＭ−ＲＳである、請求項３記載の方法。
【請求項５】
パイロット信号を送信する方法であって、
１つの第１のパイロットアンテナポートとして少なくとも２つの第２のパイロットアンテナポートを決定するステップと、
基地局が、前記第１のパイロットアンテナポートに対応するリソースを使用することによってユーザ装置に第１のパイロット信号を送信するステップであって、前記第１のパイロット信号はチャネル品質測定に使用される、送信するステップと、
を有する方法。
【請求項６】
前記１つの第１のパイロットアンテナポートとして少なくとも２つの第２のパイロットアンテナポートを決定するステップは、
前記基地局が、前記第１のパイロットアンテナポートを取得するため、加重係数を使用することによって前記第２のパイロットアンテナポートの各々に対して重み付けを実行するステップを有し、前記加重係数は前記基地局によって予め設定されるか、又は前記ユーザ装置によってフィードバックされる、請求項５記載の方法。
【請求項７】
前記基地局が、前記第１のパイロットアンテナポートに対応するリソースを使用することによってユーザ装置に第１のパイロット信号を送信するステップは、
前記基地局が、前記第１のパイロットアンテナポートに対応するリソースを使用することによって前記ユーザ装置に前記第１のパイロット信号を定期的に送信するステップを有する、請求項５又は６記載の方法。
【請求項８】
前記基地局が、前記第１のパイロットアンテナポートに対応するリソースを使用することによってユーザ装置に第１のパイロット信号を送信するステップの前に、
前記基地局が、前記ユーザ装置に第２のコンフィギュレーション情報を送信するステップを更に有し、前記第２のコンフィギュレーション情報は前記第１のパイロット信号のコンフィギュレーションパラメータを示すのに使用される、請求項５乃至７何れか一項記載の方法。
【請求項９】
前記第２のコンフィギュレーション情報はダウンリンク制御情報ＤＣＩであり、前記ＤＣＩは第２のフラグビットを搬送し、前記第２のフラグビットは前記第１のパイロット信号のコンフィギュレーションパラメータを示すのに使用される、請求項８記載の方法。
【請求項１０】
パイロット信号を送信する方法であって、
ユーザ装置が、基地局の各パイロットアンテナポートグループに対応する送信周期において、前記パイロットアンテナポートグループに対応するリソースを使用することによってパイロット信号を受信するステップと、
前記ユーザ装置が、前記パイロット信号に従ってチャネル品質測定を実行するステップと、
を有し、
前記基地局のパイロットアンテナポートグループの送信周期は前記基地局によって決定される方法。
【請求項１１】
前記ユーザ装置が、基地局の各パイロットアンテナポートグループに対応する送信周期において、前記パイロットアンテナポートグループに対応するリソースを使用することによってパイロット信号を受信するステップの前に、
前記ユーザ装置が、第１のコンフィギュレーション情報を受信するステップと、
前記ユーザ装置が、前記第１のコンフィギュレーション情報に従って、前記ユーザ装置の専用の帯域幅で前記パイロット信号を受信するか、又は前記基地局に対応する全帯域幅で前記パイロット信号を受信するか決定するステップと、
を更に有する、請求項１０記載の方法。
【請求項１２】
パイロット信号を送信する方法であって、
ユーザ装置が、第１のパイロットアンテナポートに対応するリソースを使用することによって、基地局によって送信される第１のパイロット信号を受信するステップを有し、
前記第１のパイロットアンテナポートは少なくとも２つの第２のパイロットアンテナポートに従って前記基地局によって決定され、前記第１のパイロット信号はチャネル品質測定に使用される方法。
【請求項１３】
前記ユーザ装置が、第１のパイロットアンテナポートに対応するリソースを使用することによって、基地局によって送信される第１のパイロット信号を受信するステップの前に、
前記ユーザ装置が、前記基地局によって送信される第２のコンフィギュレーション情報を受信するステップと、
前記ユーザ装置が、前記第２のコンフィギュレーション情報に従って前記第１のパイロット信号のコンフィギュレーションパラメータを取得するステップと、
を更に有する、請求項１２記載の方法。
【請求項１４】
前記ユーザ装置が、第１のパイロットアンテナポートに対応するリソースを使用することによって、基地局によって送信される第１のパイロット信号を受信するステップの前に、
前記ユーザ装置が、前記基地局によって送信される第３のコンフィギュレーション情報を受信するステップを更に有し、
前記第３のコンフィギュレーション情報は、前記基地局が前記ユーザ装置に第２のパイロット信号を送信すべきか示すのに使用される、請求項１２又は１３記載の方法。
【請求項１５】
基地局であって、
パイロットアンテナポートグループの送信周期を決定するよう構成される決定モジュールであって、異なるパイロットアンテナポートグループは、異なる送信周期に対応する、決定モジュールと、
各パイロットアンテナポートグループに対応する送信周期において、ユーザ装置がパイロット信号に従ってチャネル品質を測定するように、前記パイロットアンテナポートグループに対応するリソースを使用することによってユーザ装置にパイロット信号を送信するよう構成される送信モジュールと、
を有する基地局。
【請求項１６】
前記送信モジュールは更に、
前記ユーザ装置に第１のコンフィギュレーション情報を送信するよう構成され、前記第１のコンフィギュレーション情報は、前記パイロット信号が、前記ユーザ装置の専用の帯域幅で送信されるべきか、又は前記基地局に対応する全帯域幅で送信されるべきかを示すのに使用される、請求項１５記載の基地局。
【請求項１７】
前記第１のコンフィギュレーション情報はダウンリンク制御情報ＤＣＩであり、前記ＤＣＩは第１のフラグビットを搬送し、前記第１のフラグビットは、前記パイロット信号が前記専用の帯域幅で送信されるべきか、又は前記全帯域幅で送信されるべきかを示すのに使用される、請求項１５記載の基地局。
【請求項１８】
基地局であって、
１つの第１のパイロットアンテナポートとして少なくとも２つの第２のパイロットアンテナポートを決定するよう構成される決定モジュールと、
前記第１のパイロットアンテナポートに対応するリソースを使用することによってユーザ装置に第１のパイロット信号を送信するよう構成される送信モジュールと、
を有し、
前記第１のパイロット信号はチャネル品質測定に使用される基地局。
【請求項１９】
前記決定モジュールは、
前記第１のパイロットアンテナポートを取得するため、加重係数を使用することによって前記第２のパイロットアンテナポートの各々に対して重み付けを実行するよう構成され、前記加重係数は前記基地局によって予め設定されるか、又は前記ユーザ装置によってフィードバックされる、請求項１８記載の基地局。
【請求項２０】
前記送信モジュールは、
前記第１のパイロットアンテナポートに対応するリソースを使用することによって前記ユーザ装置に前記第１のパイロット信号を定期的に送信するよう構成される、請求項１８又は１９記載の基地局。
【請求項２１】
前記送信モジュールは更に、
前記ユーザ装置に第２のコンフィギュレーション情報を送信するよう構成され、前記第２のコンフィギュレーション情報は前記第１のパイロット信号のコンフィギュレーションパラメータを示すのに使用される、請求項１８乃至２０何れか一項記載の基地局。
【請求項２２】
ユーザ装置であって、
基地局の各パイロットアンテナポートグループに対応する送信周期において、前記パイロットアンテナポートグループに対応するリソースを使用することによってパイロット信号を受信するよう構成される受信モジュールと、
前記パイロット信号に従ってチャネル品質を測定するよう構成される測定モジュールと、
を有し、
前記基地局のパイロットアンテナポートグループの送信周期は前記基地局によって決定されるユーザ装置。
【請求項２３】
前記受信モジュールは更に、
第１のコンフィギュレーション情報を受信し、
前記第１のコンフィギュレーション情報に従って、前記ユーザ装置の専用の帯域幅で前記パイロット信号を受信するか、又は前記基地局に対応する全帯域幅で前記パイロット信号を受信するか決定するよう構成される、請求項２２記載のユーザ装置。
【請求項２４】
ユーザ装置であって、
第１のパイロットアンテナポートに対応するリソースを使用することによって、基地局によって送信される第１のパイロット信号を受信するよう構成される受信モジュールを有し、
前記第１のパイロットアンテナポートは少なくとも２つの第２のパイロットアンテナポートに従って前記基地局によって決定され、前記第１のパイロット信号はチャネル品質測定に使用されるユーザ装置。
【請求項２５】
前記受信モジュールは更に、
前記基地局によって送信される第２のコンフィギュレーション情報を受信し、
前記第２のコンフィギュレーション情報に従って前記第１のパイロット信号のコンフィギュレーションパラメータを取得するよう構成される、請求項２４記載のユーザ装置。
【請求項２６】
前記受信モジュールは更に、
前記基地局によって送信される第３のコンフィギュレーション情報を受信するよう構成され、
前記第３のコンフィギュレーション情報は、前記基地局が前記ユーザ装置に第２のパイロット信号を送信すべきか示すのに使用される、請求項２４又は２５記載のユーザ装置。
【手続補正２】
【補正対象書類名】明細書
【補正対象項目名】全文
【補正方法】変更
【補正の内容】
【発明の詳細な説明】
【技術分野】
【０００１】
本発明は、通信技術に関し、特にパイロット信号を送信する方法、基地局及びユーザ装置に関する。
【背景技術】
【０００２】
無線通信システムでは、送信端及び受信端は、より高いレートを取得するため、複数のアンテナを空間多重方式で利用する。通常の空間多重方式と比較して、エンハンスされた技術は、受信端がチャネル情報を送信端にフィードバックし、送信端が取得したチャネル情報に従っていくつかの送信プリコーディング技術を利用し、送信性能を大きく向上させるというものである。
【０００３】
より高いセル平均スペクトル効率を取得し、セル端カバレッジ及びスループットを向上させるため、既存のロング・ターム・エボリューション（Ｌｏｎｇ  Ｔｅｒｍ  Ｅｖｏｌｕｔｉｏｎ，略してＬＴＥ）システムに基づき、ロング・ターム・エボリューション−アドバンスト（Ｌｏｎｇ  Ｔｅｒｍ  Ｅｖｏｌｕｔｉｏｎ−Ａｄｖａｎｃｅｄ，略してＬＴＥ−Ａ）は、ダウンリンクにおいて最大で８個のアンテナをサポートし、いくつかのフィードバックエンハンスメント技術がコードブックフィードバックに関して進められ、それらは主としてコードブックフィードバック精度をエンハンスし、チャネル情報の時間相関及び／又は周波数領域相関を利用することによってオーバヘッドを低下させるためのものである。チャネル情報をフィードバックする必要がある１つのサブバンド又は複数の結合したサブバンドについて、ユーザ装置は、チャネル状態情報−リファレンス信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，略してＣＳＩ−ＲＳ）に従ってチャネル状態情報（Ｃｈａｎｎｅｌ  Ｓｔａｔｅ  Ｉｎｆｏｒｍａｔｉｏｎ，略してＣＳＩ）を測定し、ＰＭＩ１及びＰＭＩ２の２つのプリコーディング・マトリクス・インジケータ（Ｐｒｅｃｏｄｉｎｇ  Ｍａｔｒｉｘ  Ｉｎｄｉｃａｔｏｒ，略してＰＭＩ）を基地局にフィードバックし、ここで、ＰＭＩ１はコードブックＣ１におけるコードワードＷ１に対応し、ＰＭＩ２は他のコードブックＣ２におけるコードワードＷ２に対応する。基地局端は、同一のＣ１及びＣ２に関する情報を有し、ＰＭＩ１及びＰＭＩ２を受信した後に対応するコードブックＣ１及びＣ２から対応するコードワードＷ１及びＷ２を検出し、バーチャルＷに対応するコードブックを取得する。
【０００４】
しかしながら、アンテナスケールが増加するに従って、プリコーディングマトリクスを測定するのに用いられるパイロットオーバヘッド、すなわち、上記のＣＳＩ−ＲＳのオーバヘッドがまた従来技術では増加する。
【発明の概要】
【０００５】
本発明は、アンテナスケールが増加するに従ってパイロットオーバヘッドが増加するという従来技術における問題を解決するため、パイロット信号を送信する方法、基地局及びユーザ装置を提供する。
【０００６】
本発明の第１の態様によると、パイロット信号を送信する方法が提供され、
基地局が、パイロットアンテナポートグループの送信周期を決定するステップと、
前記基地局が、各パイロットアンテナポートグループに対応する送信周期において、ユーザ装置が前記パイロット信号に従ってチャネル品質を測定するように、前記パイロットアンテナポートグループに対応するリソースを使用することによって前記ユーザ装置にパイロット信号を送信するステップと、
を有する。
【０００７】
第１の態様によると、第１の可能な実現方式では、異なるパイロットアンテナポートグループは、異なる送信周期に対応する。
【０００８】
第１の態様及び第１の可能な実現方式を参照して、第２の可能な実現方式では、前記基地局が、各パイロットアンテナポートグループに対応する送信周期において、前記パイロットアンテナポートグループを使用することによってパイロット信号を送信するステップの前に、当該方法は、
前記基地局が、前記ユーザ装置に第１のコンフィギュレーション情報を送信するステップであって、前記第１のコンフィギュレーション情報は、前記パイロット信号が、前記ユーザ装置の専用の帯域幅で送信されるべきか、又は前記基地局に対応する全帯域幅で送信されるべきかを示すのに使用される、送信するステップを更に有する。
【０００９】
第２の可能な実現方式によると、第３の可能な実現方式では、前記第１のコンフィギュレーション情報はダウンリンク制御情報ＤＣＩであり、前記ＤＣＩは第１のフラグビットを搬送し、前記第１のフラグビットは、前記パイロット信号が前記専用の帯域幅で送信されるべきか、又は前記全帯域幅で送信されるべきかを示すのに使用される。
【００１０】
第３の可能な実現方式によると、第４の可能な実現方式では、前記パイロット信号は、復調プリコーディングマトリクスとして単位行列を使用したチャネル状態情報−リファレンス信号ＣＳＩ−ＲＳ又はダウンリンク復調リファレンス信号ＤＭ−ＲＳである。
【００１１】
本発明の第２の態様によると、パイロット信号を送信する方法が提供され、
１つの第１のパイロットアンテナポートとして少なくとも２つの第２のパイロットアンテナポートを決定するステップと、
基地局が、前記第１のパイロットアンテナポートに対応するリソースを使用することによってユーザ装置に第１のパイロット信号を送信するステップであって、前記第１のパイロット信号はチャネル品質測定に使用される、送信するステップと、
を有する。
【００１２】
第２の態様によると、第１の可能な実現方式では、前記１つの第１のパイロットアンテナポートとして少なくとも２つの第２のパイロットアンテナポートを決定するステップは、具体的には、
前記基地局が、前記第１のパイロットアンテナポートを取得するため、加重係数を使用することによって前記第２のパイロットアンテナポートの各々に対して重み付けを実行するステップを有し、前記加重係数は前記基地局によって予め設定されるか、又は前記ユーザ装置によってフィードバックされる。
【００１３】
第２の態様及び第１の可能な実現方式を参照して、第２の可能な実現方式では、前記基地局が、前記第１のパイロットアンテナポートに対応するリソースを使用することによってユーザ装置に第１のパイロット信号を送信するステップは、
前記基地局が、前記第１のパイロットアンテナポートに対応するリソースを使用することによって前記ユーザ装置に前記第１のパイロット信号を定期的に送信するステップを有する。
【００１４】
第２の態様、第１の可能な実現方式及び第２の可能な実現方式を参照して、第３の可能な実現方式では、前記基地局が、前記第１のパイロットアンテナポートに対応するリソースを使用することによってユーザ装置に第１のパイロット信号を送信するステップの前に、当該方法は、
前記基地局が、前記ユーザ装置に第２のコンフィギュレーション情報を送信するステップを更に有し、前記第２のコンフィギュレーション情報は前記第１のパイロット信号のコンフィギュレーションパラメータを示すのに使用される。
【００１５】
第２の態様、第１の可能な実現方式、第２の可能な実現方式及び第３の可能な実現方式を参照して、第４の可能な実現方式では、前記基地局が、前記第１のパイロットアンテナポートに対応するリソースを使用することによってユーザ装置に第１のパイロット信号を送信するステップの前に、当該方法は、
前記基地局が、前記ユーザ装置に第３のコンフィギュレーション情報を送信するステップを更に有し、前記第３のコンフィギュレーション情報は、前記基地局が前記ユーザ装置に第２のパイロット信号を送信すべきか示すのに使用される。
【００１６】
第４の可能な実現方式を参照して、第５の可能な実現方式では、前記第３のコンフィギュレーション情報が、前記基地局が前記ユーザ装置に前記第２のパイロット信号を送信すべきであることを示す場合、前記基地局が、前記ユーザ装置に第３のコンフィギュレーション情報を送信するステップの前に、当該方法は、
前記基地局が、前記第２のパイロットアンテナポートに対応するリソースを使用することによって前記ユーザ装置に第２のパイロット信号を不定期的に送信するステップを有する。
【００１７】
本発明の第３の態様によると、パイロット信号を送信する方法が提供され、
ユーザ装置が、基地局の各パイロットアンテナポートグループに対応する送信周期において、前記パイロットアンテナポートグループに対応するリソースを使用することによってパイロット信号を受信するステップと、
前記ユーザ装置が、前記パイロット信号に従ってチャネル品質測定を実行するステップとを有し、
前記基地局のパイロットアンテナポートグループの送信周期は前記基地局によって決定される。
【００１８】
第３の態様によると、第１の可能な実現方式では、前記ユーザ装置が、基地局の各パイロットアンテナポートグループに対応する送信周期において、前記パイロットアンテナポートグループに対応するリソースを使用することによってパイロット信号を受信するステップの前に、当該方法は、
前記ユーザ装置が、第１のコンフィギュレーション情報を受信するステップと、
前記ユーザ装置が、前記第１のコンフィギュレーション情報に従って、前記ユーザ装置の専用の帯域幅で前記パイロット信号を受信するか、又は前記基地局に対応する全帯域幅で前記パイロット信号を受信するか決定するステップと、
を更に有する。
【００１９】
本発明の第４の態様によると、パイロット信号を送信する方法が提供され、
ユーザ装置が、第１のパイロットアンテナポートに対応するリソースを使用することによって、基地局によって送信される第１のパイロット信号を受信するステップを有し、前記第１のパイロットアンテナポートは少なくとも２つの第２のパイロットアンテナポートに従って前記基地局によって決定され、前記第１のパイロット信号はチャネル品質測定に使用される。
【００２０】
第４の態様によると、第１の可能な実現方式では、前記ユーザ装置が、第１のパイロットアンテナポートに対応するリソースを使用することによって、基地局によって送信される第１のパイロット信号を受信するステップの前に、当該方法は、
前記ユーザ装置が、前記基地局によって送信される第２のコンフィギュレーション情報を受信するステップと、
前記ユーザ装置が、前記第２のコンフィギュレーション情報に従って前記第１のパイロット信号のコンフィギュレーションパラメータを取得するステップと、
を更に有する。
【００２１】
第４の態様及び第１の可能な実現方式を参照して、第２の可能な実現方式では、前記ユーザ装置が、第１のパイロットアンテナポートに対応するリソースを使用することによって、基地局によって送信される第１のパイロット信号を受信するステップの前に、当該方法は、
前記ユーザ装置が、前記基地局によって送信される第３のコンフィギュレーション情報を受信するステップを更に有し、前記第３のコンフィギュレーション情報は、前記基地局が前記ユーザ装置に第２のパイロット信号を送信すべきか示すのに使用される。
【００２２】
第２の可能な実現方式によると、第３の可能な実現方式では、前記第３のコンフィギュレーション情報が、前記基地局が前記ユーザ装置に前記第２のパイロット信号を送信すべきであることを示す場合、前記ユーザ装置が、前記基地局によって送信される第３のコンフィギュレーション情報を受信するステップの後に、当該方法は、
前記ユーザ装置が、前記第２のパイロットアンテナポートに対応するリソースを使用することによって、前記第２のパイロット信号を受信するステップを更に有する。
【００２３】
本発明の第５の態様によると、基地局が提供され、
パイロットアンテナポートグループの送信周期を決定するよう構成される決定モジュールと、
各パイロットアンテナポートグループに対応する送信周期において、ユーザ装置がパイロット信号に従ってチャネル品質を測定するように、前記パイロットアンテナポートグループに対応するリソースを使用することによってユーザ装置にパイロット信号を送信するよう構成される送信モジュールと、
を有する。
【００２４】
第５の態様によると、第１の可能な実現方式において、前記送信モジュールは更に、
前記ユーザ装置に第１のコンフィギュレーション情報を送信するよう構成され、前記第１のコンフィギュレーション情報は、前記パイロット信号が、前記ユーザ装置の専用の帯域幅で送信されるべきか、又は前記基地局に対応する全帯域幅で送信されるべきかを示すのに使用される。
【００２５】
本発明の第６の態様によると、基地局が提供され、
１つの第１のパイロットアンテナポートとして少なくとも２つの第２のパイロットアンテナポートを決定するよう構成される決定モジュールと、
前記第１のパイロットアンテナポートに対応するリソースを使用することによってユーザ装置に第１のパイロット信号を送信するよう構成される送信モジュールと、
を有し、
前記第１のパイロット信号はチャネル品質測定に使用される。
【００２６】
第６の態様によると、第１の可能な実現方式では、前記決定モジュールは、具体的には、
前記第１のパイロットアンテナポートを取得するため、加重係数を使用することによって前記第２のパイロットアンテナポートの各々に対して重み付けを実行するよう構成され、前記加重係数は前記基地局によって予め設定されるか、又は前記ユーザ装置によってフィードバックされる。
【００２７】
第６の態様及び第１の可能な実現方式を参照して、第２の可能な実現方式では、前記送信モジュールは、具体的には、
前記第１のパイロットアンテナポートに対応するリソースを使用することによって前記ユーザ装置に前記第１のパイロット信号を定期的に送信するよう構成される。
【００２８】
第６の態様、第１の可能な実現方式及び第２の可能な実現方式を参照して、第３の可能な実現方式では、前記送信モジュールは更に、
前記ユーザ装置に第２のコンフィギュレーション情報を送信するよう構成され、前記第２のコンフィギュレーション情報は前記第１のパイロット信号のコンフィギュレーションパラメータを示すのに使用される。
【００２９】
第６の態様、第１の可能な実現方式、第２の可能な実現方式及び第３の可能な実現方式を参照して、第４の可能な実現方式では、前記送信モジュールは更に、
前記ユーザ装置に第３のコンフィギュレーション情報を送信するよう構成され、前記第３のコンフィギュレーション情報は、前記基地局が前記ユーザ装置に第２のパイロット信号を送信すべきか示すのに使用される。
【００３０】
第４の可能な実現方式を参照して、第５の可能な実現方式では、前記送信モジュールは更に、
前記第２のパイロットアンテナポートに対応するリソースを使用することによって前記ユーザ装置に第２のパイロット信号を不定期的に送信するよう構成される。
【００３１】
本発明の第７の態様によると、ユーザ装置が提供され、
基地局の各パイロットアンテナポートグループに対応する送信周期において、前記パイロットアンテナポートグループに対応するリソースを使用することによってパイロット信号を受信するよう構成される受信モジュールと、
前記パイロット信号に従ってチャネル品質を測定するよう構成される測定モジュールと、
を有し、
前記基地局のパイロットアンテナポートグループの送信周期は前記基地局によって決定される。
【００３２】
第７の態様を参照して、第１の可能な実現方式では、前記受信モジュールは更に、
第１のコンフィギュレーション情報を受信し、
前記第１のコンフィギュレーション情報に従って、前記ユーザ装置の専用の帯域幅で前記パイロット信号を受信するか、又は前記基地局に対応する全帯域幅で前記パイロット信号を受信するか決定するよう構成される。
【００３３】
本発明の第８の態様によると、ユーザ装置が提供され、
第１のパイロットアンテナポートに対応するリソースを使用することによって、基地局によって送信される第１のパイロット信号を受信するよう構成される受信モジュールを有し、前記第１のパイロットアンテナポートは少なくとも２つの第２のパイロットアンテナポートに従って前記基地局によって決定され、前記第１のパイロット信号はチャネル品質測定に使用される。
【００３４】
第８の態様によると、第１の可能な実現方式では、前記受信モジュールは更に、
前記基地局によって送信される第２のコンフィギュレーション情報を受信し、
前記第２のコンフィギュレーション情報に従って前記第１のパイロット信号のコンフィギュレーションパラメータを取得するよう構成される。
【００３５】
第８の態様及び第１の可能な実現方式を参照して、第２の可能な実現方式では、前記受信モジュールは更に、
前記基地局によって送信される第３のコンフィギュレーション情報を受信するよう構成され、前記第３のコンフィギュレーション情報は、前記基地局が前記ユーザ装置に第２のパイロット信号を送信すべきか示すのに使用される。
【００３６】
第２の可能な実現方式によると、第３の可能な実現方式では、前記受信モジュールは更に、
前記第２のパイロットアンテナポートに対応するリソースを使用することによって、前記第２のパイロット信号を受信するよう構成される。
【００３７】
本発明の第９の態様によると、基地局が提供され、
パイロットアンテナポートグループの送信周期を決定するよう構成されるプロセッサと、
各パイロットアンテナポートグループに対応する送信周期において、ユーザ装置がパイロット信号に従ってチャネル品質を測定するように、前記パイロットアンテナポートグループに対応するリソースを使用することによってユーザ装置にパイロット信号を送信するよう構成される送信機と、
を有する。
【００３８】
第９の態様によると、第１の可能な実現方式では、前記送信機は更に、
前記ユーザ装置に第１のコンフィギュレーション情報を送信するよう構成され、前記第１のコンフィギュレーション情報は、前記パイロット信号が、前記ユーザ装置の専用の帯域幅で送信されるべきか、又は前記基地局に対応する全帯域幅で送信されるべきかを示すのに使用される。
【００３９】
本発明の第１０の態様によると、基地局が提供され、
１つの第１のパイロットアンテナポートとして少なくとも２つの第２のパイロットアンテナポートを決定するよう構成されるプロセッサと、
前記第１のパイロットアンテナポートに対応するリソースを使用することによってユーザ装置に第１のパイロット信号を送信するよう構成される送信機と、
を有し、
前記第１のパイロット信号はチャネル品質測定に使用される。
【００４０】
第１０の態様によると、第１の可能な実現方式では、前記プロセッサは、具体的には、
前記第１のパイロットアンテナポートを取得するため、加重係数を使用することによって前記第２のパイロットアンテナポートの各々に対して重み付けを実行するよう構成され、前記加重係数は前記基地局によって予め設定されるか、又は前記ユーザ装置によってフィードバックされる。
【００４１】
第１０の態様及び第１の可能な実現方式を参照して、第２の可能な実現方式では、前記送信機は、具体的には、
前記第１のパイロットアンテナポートに対応するリソースを使用することによって前記ユーザ装置に前記第１のパイロット信号を定期的に送信するよう構成される。
【００４２】
第１０の態様、第１の可能な実現方式及び第２の可能な実現方式を参照して、第３の可能な実現方式では、前記送信機は更に、
前記ユーザ装置に第２のコンフィギュレーション情報を送信するよう構成され、前記第２のコンフィギュレーション情報は前記第１のパイロット信号のコンフィギュレーションパラメータを示すのに使用される。
【００４３】
第１０の態様、第１の可能な実現方式、第２の可能な実現方式及び第３の可能な実現方式を参照して、第４の可能な実現方式では、前記送信機は更に、
前記ユーザ装置に第３のコンフィギュレーション情報を送信するよう構成され、前記第３のコンフィギュレーション情報は、前記基地局が前記ユーザ装置に第２のパイロット信号を送信すべきか示すのに使用される。
【００４４】
第４の可能な実現方式によると、第５の可能な実現方式では、前記送信機は更に、
前記第２のパイロットアンテナポートに対応するリソースを使用することによって前記ユーザ装置に第２のパイロット信号を不定期的に送信するよう構成される。
【００４５】
本発明の第１１の態様によると、ユーザ装置が提供され、
基地局の各パイロットアンテナポートグループに対応する送信周期において、前記パイロットアンテナポートグループに対応するリソースを使用することによってパイロット信号を受信するよう構成される受信機と、
前記パイロット信号に従ってチャネル品質を測定するよう構成されるプロセッサと、
を有し、
前記基地局のパイロットアンテナポートグループの送信周期は前記基地局によって決定される。
【００４６】
第１１の態様によると、第１の可能な実現方式では、前記受信機は更に、
第１のコンフィギュレーション情報を受信し、
前記第１のコンフィギュレーション情報に従って、前記ユーザ装置の専用の帯域幅で前記パイロット信号を受信するか、又は前記基地局に対応する全帯域幅で前記パイロット信号を受信するか決定するよう構成される。
【００４７】
本発明の第１２の態様によると、ユーザ装置が提供され、
第１のパイロットアンテナポートに対応するリソースを使用することによって、基地局によって送信される第１のパイロット信号を受信するよう構成される受信機を有し、前記第１のパイロットアンテナポートは少なくとも２つの第２のパイロットアンテナポートに従って前記基地局によって決定され、前記第１のパイロット信号はチャネル品質測定に使用される。
【００４８】
第１２の態様によると、第１の可能な実現方式では、前記受信機は更に、
前記基地局によって送信される第２のコンフィギュレーション情報を受信し、
前記第２のコンフィギュレーション情報に従って前記第１のパイロット信号のコンフィギュレーションパラメータを取得するよう構成される。
【００４９】
第１２の態様及び第１の可能な実現方式を参照して、第２の可能な実現方式では、前記受信機は更に、
前記基地局によって送信される第３のコンフィギュレーション情報を受信するよう構成され、前記第３のコンフィギュレーション情報は、前記基地局が前記ユーザ装置に第２のパイロット信号を送信すべきか示すのに使用される。
【００５０】
第２の可能な実現方式によると、第３の可能な実現方式では、前記受信機は更に、
前記第２のパイロットアンテナポートに対応するリソースを使用することによって、前記第２のパイロット信号を受信するよう構成される。
【００５１】
本発明の実施例におけるパイロット信号を送信する方法、基地局及びユーザ装置によると、基地局は、パイロットアンテナポートグループの送信周期を決定し、各パイロットアンテナポートグループに対応する送信周期において、ユーザ装置がパイロット信号に従ってチャネル品質を測定するように、パイロットアンテナポートグループに対応するリソースを使用することによってユーザ装置にパイロット信号を送信し、これにより、パイロット信号オーバヘッドを低下させる。
【図面の簡単な説明】
【００５２】
本発明の実施例又は従来技術における技術的解決策をより明確に説明するため、以下は、実施例又は従来技術を説明するのに必要な添付図面を簡単に説明する。明らかに、以下の説明における添付図面は本発明のいくつかの実施例を示し、当業者は、創作的な努力なく、これらの添付図面から他の図面を依然として導出してもよい。
【図１】図１は、本発明の実施例１によるパイロット信号を送信する方法のフローチャートである。
【図２】図２は、本発明の実施例２によるパイロット信号を送信する方法のフローチャートである。
【図３】図３は、本発明の実施例３によるパイロット信号を送信する方法のフローチャートである。
【図４】図４は、本発明の実施例４によるパイロット信号を送信する方法のフローチャートである。
【図５】図５は、本発明の実施例５による基地局とユーザ装置との間のインタラクションのフローチャートである。
【図６Ａ】図６Ａは、交差偏波における１６個のパイロットアンテナポートの概略図である。
【図６Ｂ】図６Ｂは、本発明の実施例５によるパイロットアンテナポートグループの概略図である。
【図６Ｃ】図６Ｃは、本発明の実施例５による他のパイロットアンテナポートグループの概略図である。
【図７】図７は、本発明の実施例６による基地局とユーザ装置との間のインタラクションのフローチャートである。
【図８】図８は、交差偏波における６４個のパイロットアンテナポートの概略図である。
【図９】図９は、本発明の実施例６によるビームの到来角の測定の概略図である。
【図１０】図１０は、本発明の実施例７による基地局の構成の概略図である。
【図１１】図１１は、本発明の実施例８による基地局の構成の概略図である。
【図１２】図１２は、本発明の実施例９によるユーザ装置の構成の概略図である。
【図１３】図１３は、本発明の実施例１０によるユーザ装置の構成の概略図である。
【図１４】図１４は、本発明の実施例１１による基地局の構成の概略図である。
【図１５】図１５は、本発明の実施例１２による基地局の構成の概略図である。
【図１６】図１６は、本発明の実施例１３によるユーザ装置の構成の概略図である。
【図１７】図１７は、本発明の実施例１４によるユーザ装置の構成の概略図である。
【発明を実施するための形態】
【００５３】
本発明の実施例の課題、技術的解決策及び効果をより明確にするため、以下は、本発明の実施例における添付図面を参照して、本発明の実施例における技術的解決策を明確且つ完全に説明する。明らかに、説明される実施例は、本発明の実施例の全てでなく一部である。創作的な努力なく本発明の実施例に基づき当業者により取得される他の全ての実施例は、本発明の保護範囲内に属する。
【００５４】
図１は、本発明の実施例１によるパイロット信号を送信する方法のフローチャートである。図１に示されるように、本実施例において提供されるパイロット信号を送信する方法は以下のステップを有してもよい。
【００５５】
ステップＳ１００：基地局は、パイロットアンテナポートグループの送信周期を決定する。
【００５６】
ステップＳ１０１：基地局は、各パイロットアンテナポートグループに対応する送信周期において、パイロットアンテナポートグループに対応するリソースを使用することによってユーザ装置にパイロット信号を送信する。
【００５７】
本実施例におけるステップは、基地局によって実行されてもよいし、又は中継ノードなどの装置によって実行されてもよい。
【００５８】
従来技術では、基地局は、パイロット信号に対応するアンテナポートを使用することによってパイロット信号を送信し、アンテナスケールが増加するに従って、パイロットアンテナポートの数もまた増加し、従って、パイロット信号のオーバヘッドもまた増加する。本実施例では、基地局は、パイロットアンテナポートを含むパイロットアンテナポートグループについて異なる送信周期を決定し、パイロットアンテナポートグループに対応するリソースを使用することによってユーザ装置にパイロット信号を送信する。
【００５９】
具体的には、基地局は、１つのパイロットアンテナポートグループとして複数のパイロットアンテナポートを決定し、パイロットアンテナポートグループの送信周期を決定してもよい。例えば、基地局は、同一の送信周期においてパイロット信号を送信するため、パイロットアンテナポートの間の相関に従って、１つのパイロットアンテナポートグループとして異なるパイロットアンテナポートを決定してもよい。
【００６０】
パイロットアンテナポートグループの周期を決定した後、基地局は、ユーザ装置にパイロット信号を送信してもよい。具体的には、基地局は、各パイロットアンテナポートグループに対応する周期において、パイロットアンテナポートグループに対応するリソースを使用することによって、すなわち、パイロットアンテナポートグループに対応する時間周波数リソース位置において、パイロット信号を送信してもよい。ここでは、パイロット信号は、チャネル品質を測定するためユーザ装置によって使用され、実際には、ＣＳＩ−ＲＳ、ＤＭＲＳなどであってもよい。
【００６１】
異なるパイロットアンテナポートグループの送信周期は同じであってもよいし、又は異なるものであってもよいことに留意すべきである。例えば、基地局は、長い周期のチャネル品質測定のためにパイロットアンテナポートの一部を指定し、これらのパイロットアンテナポートが属するパイロットアンテナポートグループが長い送信周期に対応するものであってもよく、短い周期のチャネル品質測定のためにその他のパイロットアンテナポートを指定し、これらのパイロットアンテナポートが属するパイロットアンテナポートグループが短い送信周期に対応するものであってもよい。
【００６２】
さらに、実際には、基地局はまず送信周期を決定し、それから、何れのパイロットアンテナポートがパイロット信号を送信するのに使用されるか毎回選択してもよい。実際、上記の処理はまた、異なるパイロットアンテナポートについて異なる送信周期を決定するためのものであり、従って、また本発明の保護範囲内に属する。
【００６３】
上記の実施例では、基地局は、パイロットアンテナポートグループの送信周期を決定し、各パイロットアンテナポートグループに対応する送信周期において、パイロットアンテナポートグループに対応するリソースを使用することによってユーザ装置にパイロット信号を送信する。全てのパイロットアンテナポートが同一の送信周期を利用する従来技術と比較して、パイロット信号のオーバヘッドが大きく低下する。
【００６４】
図２は、本発明の実施例２によるパイロット信号を送信する方法のフローチャートである。図２に示されるように、本実施例において提供されるパイロット信号を送信する方法は以下のステップを有してもよい。
【００６５】
ステップＳ２００：ユーザ装置は、基地局の各パイロットアンテナポートグループに対応する送信周期において、パイロットアンテナポートグループに対応するリソースを使用することによってパイロット信号を受信する。
【００６６】
ステップＳ２０１：ユーザ装置は、パイロット信号に従ってチャネル品質を測定する。
【００６７】
本実施例におけるステップは、実際にＬＴＥシステムに適用されるＵＥであってもよいユーザ装置（Ｕｓｅｒ  Ｅｑｕｉｐｍｅｎｔ，略してＵＥ）によって実行される。
【００６８】
具体的には、基地局がＵＥにパイロット信号を送信した後、ＵＥは、基地局によって送信されるパイロット信号を受信する必要がある。
【００６９】
さらに、基地局はパイロットアンテナポートグループの送信周期においてパイロット信号を送信するため、ＵＥは、送信周期において、パイロットアンテナポートに対応するリソースを使用することによって、すなわち、パイロットアンテナポートに対応する時間周波数リソース位置においてパイロット信号を受信する必要があり、このとき、ＵＥは、パイロット信号に従ってチャネル品質測定を実行してもよい。任意的には、チャネル品質測定を完了した後、ＵＥは、アップリンクチャネルを使用することによって、基地局に測定結果をフィードバックしてもよい。
【００７０】
上記の実施例では、ユーザ装置は、基地局の各パイロットアンテナポートグループに対応する送信周期において、パイロットアンテナポートグループに対応するリソースを使用することによってパイロット信号を受信し、パイロット信号に従ってチャネル品質を測定し、これにより、パイロット信号のオーバヘッドを低下させる。
【００７１】
図３は、本発明の実施例３によるパイロット信号を送信する方法のフローチャートである。図３に示されるように、本実施例において提供されるパイロット信号を送信する方法は以下のステップを有してもよい。
【００７２】
ステップＳ３００：１つの第１のパイロットアンテナポートとして少なくとも２つの第２のパイロットアンテナポートを決定する。
【００７３】
ステップＳ３０１：基地局は、第１のパイロットアンテナポートに対応するリソースを使用することによってユーザ装置に第１のパイロット信号を送信する。
【００７４】
本実施例におけるステップは、基地局によって実行されてもよいし、又は中継ノードなどの装置によって実行されてもよい。
【００７５】
従来技術では、基地局は、全てのパイロットアンテナポートを使用することによってパイロット信号を送信し、従って、アンテナスケールが増加するに従って、パイロット信号のオーバヘッドもまた増加する。本実施例では、基地局はまず１つの第１のパイロットアンテナポートとして少なくとも２つの第２のパイロットアンテナポートを決定し、これにより、パイロットオーバヘッドを低下させる。
【００７６】
実現可能な実現方式では、基地局は、重み付けなどの処理によって、１つの第１のパイロットアンテナポートとして複数の第２のパイロットアンテナポートを決定してもよい。ここでは、重み付けされた第２のパイロットアンテナポートの数は具体的には限定されず、実際には、パイロットオーバヘッド及び実際のアンテナポートの数に従って選択されてもよい。
【００７７】
他の実現可能な実現方式では、基地局はまた、第１のパイロットアンテナポートとして複数の第２のパイロットアンテナポートから１つの第２のパイロットアンテナポートを選択してもよく、実際には、当該選択はランダムであってもよいし、又は特定の第１のパイロットアンテナポートが第１のパイロットアンテナポートとして指定されてもよい。
【００７８】
第１のパイロットアンテナポートを決定した後、基地局は、第１のパイロットアンテナポートに対応するリソースを使用することによって、すなわち、第１のパイロットアンテナポートに対応する時間周波数リソース位置においてユーザ装置に第１のパイロット信号を送信してもよい。
【００７９】
具体的には、第１のパイロット信号はチャネル品質を測定するためユーザ装置によって使用され、例えば、ＣＳＩ−ＲＳ、ＤＭＲＳなどであってもよい。
【００８０】
上記の実施例では、少なくとも２つの第２のパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポートの数を低下させ、パイロット信号のオーバヘッドを更に低下させる。
【００８１】
図４は、本発明の実施例４によるパイロット信号を送信する方法のフローチャートである。図４に示されるように、本実施例において提供されるパイロット信号を送信する方法は以下のステップを有してもよい。
【００８２】
ステップＳ４００：ユーザ装置は、第１のパイロットアンテナポートに対応するリソースを使用することによって、基地局によって送信される第１のパイロット信号を受信する。
【００８３】
上記のステップは、実際にＬＴＥシステムに適用されるＵＥであってもよいユーザ装置によって実行される。
【００８４】
具体的には、基地局がＵＥに第１のパイロット信号を送信した後、ＵＥは、第１のパイロット信号を受信する必要がある。
【００８５】
さらに、ＵＥは、第１のパイロットアンテナポートに対応する時間周波数リソース位置において第１のパイロット信号を受信し、第１のパイロット信号を使用することによってチャネル品質測定を実行してもよい。
【００８６】
上記の実施例では、ユーザ装置は、少なくとも２つの第２のパイロットアンテナポートを使用することによって決定される第１のパイロットアンテナポートに対応するリソースを使用することによって第１のパイロット信号を受信し、第１のパイロット信号を使用することによってチャネル品質を測定し、これにより、パイロット信号のオーバヘッドを低下させる。
【００８７】
図５は、本発明の実施例５による基地局とユーザ装置との間のインタラクションのフローチャートである。図５に示されるように、本実施例における基地局とユーザ装置との間のインタラクションの処理は以下のステップを有してもよい。
【００８８】
ステップＳ５００：基地局は、パイロットアンテナポートグループの送信周期を決定する。
【００８９】
上記のステップは、基地局によって実行されてもよいし、又は中継ノードなどの装置によって実行されてもよい。
【００９０】
具体的には、基地局は、１つのパイロットアンテナポートグループとして複数のパイロットアンテナポートを決定し、それから、異なるパイロットアンテナポートグループについて対応する送信周期を決定してもよい。異なるパイロットアンテナポートグループは、異なる送信周期に対応する。
【００９１】
ＬＴＥリリース−１０プロトコル（Ｒｅｌｅａｓｅ−１０，略してＲｅｌ−１０）が具体例として使用される。当該プロトコルに規定されるダブルコードブック構造のチャネル品質測定方法では、最終的に使用されるトータルのプリコーディングマトリクスはＷによって示され、Ｗ＝Ｗ１＊Ｗ２である。Ｗ１は、帯域幅の長期のプリコーディング情報を示し、ＬＴＥの既存のコードブック構造に複数のビームを含むビームグループに対応する。Ｗ２は、帯域幅又はサブバンドの短期のプリコーディング情報であり、Ｗ１により示される上記のビームグループからビームを選択するのに使用され、また異なる偏波方向の間の位相回転を含む。実際には、ダブルコードブック構造における同一の偏波方向におけるパイロットアンテナポートの間の位相は強く相関し、すなわち、同一の偏波方向における何れか２つの近傍のパイロットアンテナポートの間の位相差は同じである。従って、本実施例では、上記の相関は、異なるパイロットアンテナポートグループについて異なる送信周期を設定するのに使用される。
【００９２】
具体的には、図６Ａは、交差偏波における１６個のパイロットアンテナポートの概略図である。図６Ａに示されるように、ｘ軸方向に沿ってプラス４５度の角度の８つの直線は８つのパイロットアンテナポートを示し、それらの偏波方向は第１の偏波方向であり、ｘ軸方向に沿ってマイナス４５度の角度の８つの直線は８つのパイロットアンテナポートを示し、それらの偏波方向は第２の偏波方向である。上記のダブルコードブック構造では、第１の偏波方向のプリコーディング情報及び第２の偏波方向のプリコーディング情報は強く相関し、すなわち、第２の偏波方向のプリコーディング情報は、第１の偏波方向のプリコーディング情報と比較して、１つの位相回転しか異なっていない。
【００９３】
さらに、図６Ｂは、本発明の実施例５によるパイロットアンテナポートグループの概略図である。図６Ｃは、本発明の実施例５による他のパイロットアンテナポートグループの概略図である。図６Ｂ及び図６Ｃに示されるように、上記のダブルコードブック構造におけるＷ１が測定されると、図６Ｂにおける第１の偏波方向に全てある８つのパイロットアンテナポートが１つのパイロットアンテナポートグループとして使用されてもよく、パイロットアンテナポートグループは、長期のプリコーディング情報Ｗ１を測定するためパイロット信号を送信するのに使用され、上記のダブルコードブック構造におけるＷ２が測定されるとき、Ｗ２は第１の偏波方向と第２の偏波方向との間の位相回転と特定のビーム選択とを示すため、図６Ｃにおける３つのパイロットアンテナポートが１つのパイロットアンテナポートグループとして使用されてもよく、パイロットアンテナポートグループは、短期のプリコーディング情報Ｗ２を測定するためにパイロット信号を送信するのに使用される。具体的には、測定中、双方が第１の偏波方向にあるパイロットアンテナポート１及びパイロットアンテナポート２におけるパイロット信号が、ビーム選択の測定を完了させるため測定されてもよく、異なる偏波方向にあるパイロットアンテナポート１及びパイロットアンテナポート３におけるパイロット信号が、２つの偏波方向の間の位相回転の測定を完了させるため測定されてもよい。
【００９４】
任意的には、Ｗ１は帯域幅の長期のプリコーディング情報を示すため、Ｗ１を測定するのに使用されるパイロットアンテナポートを含むパイロットアンテナポートグループの送信周期、すなわち、図６Ｂにおける８つのパイロットアンテナポートは、長い周期として設定されてもよい。Ｗ２は短期のプリコーディング情報に対応し、従って、Ｗ２を測定するのに使用されるパイロットアンテナポートを含むパイロットアンテナポートグループの送信周期、すなわち、図６Ｃにおける３つのパイロットアンテナポートは、短い周期として設定されてもよい。
【００９５】
例えば、ＬＴＥ  Ｒｅｌ−１０に規定される物理アップリンク制御チャネル（Ｐｈｙｓｉｃａｌ  Ｕｐｌｉｎｋ  Ｃｏｎｔｒｏｌ  Ｃｈａｎｎｅｌ，略してＰＵＣＣＨ）のフィードバックモード１−１のサブモード１が具体例として使用される。図６Ａにおけるパイロットアンテナポートのコンフィギュレーションに基づき、Ｗ１及びＷ２が従来技術で測定されるとき、各測定においてパイロット信号を送信するのに使用されるパイロットアンテナポートは常に１６個ある。ＰＭＩのフィードバック及び測定がＰＭＩに対応するパイロット信号の測定に完全に一致する場合、すなわち、各フィードバック周期において、第１のフィードバックタイムスロットにおいてＷ１を測定するため、パイロット信号の測定がＰＭＩのフィードバックタイムスロットと同じである場合、１６個のパイロットアンテナポートが、従来技術におけるパイロット信号を送信するのに使用される必要がある一方、本実施例の技術的解決策では、８つのパイロットアンテナポートしかパイロット信号を送信するのに使用される必要がない。第２のフィードバックタイムスロットにおいてＷ２を測定するため、１６個のパイロットアンテナポートが従来技術においてパイロット信号を送信するのに使用される必要がある一方、本実施例の技術的解決策では、３つのパイロットアンテナポートしかパイロット信号を送信するのに使用される必要がない。第３のフィードバックタイムスロットにおいてＷ２を測定するため、１６個のパイロットアンテナポートが従来技術においてパイロット信号を送信するのに使用される必要がある一方、本実施例の技術的解決策では、３つのパイロットアンテナポートしかパイロット信号を送信するのに使用される必要がない。第４のフィードバックタイムスロットにおいてＷ１を測定するため、１６個のパイロットアンテナポートが従来技術においてパイロット信号を送信するのに使用される必要がある一方、本実施例の技術的解決策では、８つのパイロットアンテナポートしかパイロット信号を送信するのに使用される必要がない。本実施例の技術的解決策はパイロット信号のオーバヘッドを大きく低下させることが理解できる。
【００９６】
交差偏波におけるパイロットアンテナポートがここでの具体例としてのみ使用されていることが留意されるべきである。実際には、本実施例の技術的解決策は、他の偏波方式であるパイロットアンテナポートに依然として適用可能である。
【００９７】
ステップＳ５０１：基地局は、ＵＥに第１のコンフィギュレーション情報を送信する。
【００９８】
上記のステップは基地局によって実行されてもよいし、又は中継ノードなどの装置によって実行されてもよい。
【００９９】
具体的には、基地局は、ＵＥに第１のコンフィギュレーション情報を送信してもよく、ここで、第１のコンフィギュレーション情報は、基地局がＵＥの専用の帯域幅でパイロット信号を送信すべきか、又は基地局に対応する全帯域幅でパイロット信号を送信すべきか示すのに使用される。
【０１００】
実際には、ＵＥによって占有される専用の帯域幅は、通常は基地局に対応する全帯域幅以下であり、従って、ＵＥによって実際に占有される専用の帯域幅でパイロット信号を送信することは、パイロット信号のオーバヘッドを低下させうる。
【０１０１】
具体的には、第１のコンフィギュレーション情報は、ダウンリンク制御情報（Ｄｏｗｎｌｉｎｋ  Ｃｏｎｔｒｏｌ  Ｉｎｆｏｒｍａｔｉｏｎ，略してＤＣＩ）であってもよい。任意的には、ＤＣＩは第１のフラグビットを搬送してもよく、第１のフラグビットは、パイロット信号が専用の帯域幅で送信されるべきか、又は全帯域幅で送信されるべきか示すのに使用される。具体的には、１ビットが、第１のフラグビットとしてＤＣＩのフィールドに追加されてもよい。第１のフラグビットが０であるとき、それは、パイロット信号が基地局に対応する全帯域幅で送信されるべきであることを示す。第１のフラグビットが１であるとき、それは、パイロット信号がＵＥの専用の帯域幅で、すなわち、ＤＣＩによってスケジューリングされた帯域幅の範囲で送信されるべきであることを示す。
【０１０２】
さらに、パイロット信号は、チャネル状態情報−リファレンス信号ＣＳＩ−ＲＳであってもよい。この場合、第１のコンフィギュレーション情報は、ＣＳＩ−ＲＳの送信帯域幅を示すのに使用されてもよい。
【０１０３】
さらにまた、ＤＭ−ＲＳがＵＥの専用の帯域幅で送信されるため、従来技術におけるＤＭ−ＲＳがまた、パイロット信号として再利用されてもよい。この場合、１ビットがまた、現在のパイロット信号、すなわち、ＤＭ−ＲＳに基づきチャネル品質を測定すべきか示すため、第１のフラグビットとしてＤＣＩに追加されてもよい。例えば、第１のフラグビットが０であるとき、それは、ＤＭ−ＲＳがチャネル品質を測定するのに使用されないことを示し、第１のフラグビットが１であるとき、それは、ＤＭ−ＲＳがチャネル品質を測定するのに使用されることを示す。従来技術におけるＤＭ−ＲＳが送信されるべきであるとき、復調プリコーディングマトリクスがプリコーディングのため使用される必要があり、ＤＭ−ＲＳがチャネル品質測定のため使用される場合、ＤＭ−ＲＳに対応する復調プリコーディングマトリクスは単位行列として設定される必要があることが留意されるべきである。
【０１０４】
ステップＳ５０２：基地局は、各パイロットアンテナポートグループに対応する送信周期において、パイロットアンテナポートグループに対応するリソースを使用することによってＵＥにパイロット信号を送信する。
【０１０５】
上記のステップは、基地局によって実行されてもよいし、又は中継ノードなどの装置によって実行されてもよい。
【０１０６】
当該ステップの説明はステップＳ１０１のものと同じであり、ここでは詳細は再説明されない。
【０１０７】
ステップＳ５０３：ＵＥは、第１のコンフィギュレーション情報を受信する。
【０１０８】
上記のステップは、実際にはＬＴＥシステムに適用されるＵＥであってもよいＵＥによって実行される。
【０１０９】
具体的には、基地局がＵＥに第１のコンフィギュレーション情報を送信した後、ＵＥは、第１のコンフィギュレーション情報を受信する必要がある。
【０１１０】
ステップＳ５０４：ＵＥは、第１のコンフィギュレーション情報に従って、ＵＥの専用の帯域幅でパイロット信号を受信すべきか、基地局に対応する全帯域幅でパイロット信号を受信すべきか決定する。
【０１１１】
上記のステップは、実際にはＬＴＥシステムに適用されるＵＥであってもよいＵＥによって実行される。
【０１１２】
具体的には、ステップＳ５０１の説明から、第１のコンフィギュレーション情報は、基地局が基地局に対応する全帯域幅又はＵＥの専用の帯域幅でパイロット信号を送信するかＵＥに通知するのに使用されることが理解できる。従って、第１のコンフィギュレーション情報を受信した後、ＵＥは、第１のコンフィギュレーション情報に従って、基地局がパイロット信号を送信する帯域幅を決定し、対応する帯域幅でパイロット信号を受信してもよい。すなわち、第１のコンフィギュレーション情報が、基地局が基地局に対応する全帯域幅でパイロット信号を送信したことを示す場合、ＵＥは、基地局に対応する全帯域幅でパイロット信号を受信することを決定してもよく、第１のコンフィギュレーション情報が、ＵＥがＵＥの専用の帯域幅でパイロット信号を受信すべきであることを示す場合、ＵＥは、ＵＥの専用の帯域幅でパイロット信号を受信することを決定してもよい。
【０１１３】
ステップＳ５０５：ＵＥは、基地局の各パイロットアンテナポートグループに対応する送信周期において、パイロットアンテナポートグループに対応するリソースを使用することによって、パイロット信号を受信する。
【０１１４】
上記のステップは、実際にはＬＴＥシステムに適用されるＵＥであってもよいＵＥによって実行される。
【０１１５】
当該ステップの説明は、ステップＳ２００のものと同じであり、ここでは詳細は再説明されない。
【０１１６】
ステップＳ５０６：ＵＥは、パイロット信号に従ってチャネル品質を測定する。
【０１１７】
上記のステップは、実際にはＬＴＥシステムに適用されるＵＥであってもよいＵＥによって実行される。
【０１１８】
当該ステップの説明は、ステップＳ２０１のものと同じであり、ここでは詳細は再説明されない。
【０１１９】
上記の実施例では、基地局は、パイロットアンテナポートグループの送信周期を決定し、各パイロットアンテナポートグループに対応する送信周期において、ＵＥがパイロット信号に従ってチャネル品質を測定するように、パイロットアンテナポートグループに対応するリソースを使用することによって、ＵＥにパイロット信号を送信し、これにより、パイロット信号のオーバヘッドを低下させる。
【０１２０】
図７は、本発明の実施例６による基地局とＵＥとの間のインタラクションのフローチャートである。図７に示されるように、本実施例における基地局とＵＥとの間のインタラクションの処理は以下のステップを有してもよい。
【０１２１】
ステップＳ６００：基地局は、１つの第１のパイロットアンテナポートとして少なくとも２つの第２のパイロットアンテナポートを決定する。
【０１２２】
上記のステップは、基地局によって実行されてもよいし、又は中継ノードなどの装置によって実行されてもよい。
【０１２３】
具体的には、パイロット信号のオーバヘッドを低下させるため、基地局はまず、１つの第１のパイロットアンテナポートとして２つ以上の第２のパイロットアンテナポートを決定してもよい。
【０１２４】
さらに、基地局は、第１のパイロットアンテナポートを取得するため、加重係数を使用することによって、第２のパイロットアンテナポートの各々に対して重み付けを実行してもよい。ここでは、加重係数は、基地局によって予め設定されてもよいし、又はＵＥによってフィードバックされてもよい。実際には、ＵＥが、ステップＳ６００が実行される前に加重係数をフィードバックした場合、基地局は、ＵＥによってフィードバックされた加重係数、又は基地局によって予め設定された加重係数を使用することによって重み付けを実行してもよく、ＵＥが、ステップＳ６００が実行される前に加重係数をフィードバックしなかった場合、基地局は、基地局によって予め設定された加重係数を使用することによって重み付けを実行する。
【０１２５】
任意的には、上記のステップＳ６００は定期的に実行されてもよく、すなわち、各周期において、基地局は、同じ加重係数を使用することによって第１のパイロットアンテナポートを決定し、異なる周期が異なる加重係数に対応してもよい。
【０１２６】
ステップＳ６０１：基地局は、ＵＥに第２のコンフィギュレーション情報を送信する。
【０１２７】
上記のステップは、基地局によって実行されてもよいし、又は中継ノードなどの装置によって実行されてもよい。
【０１２８】
具体的には、第２のコンフィギュレーション情報は、第１のパイロット信号のコンフィギュレーションパラメータを通知するのに使用される。
【０１２９】
さらに、コンフィギュレーションパラメータは、ＵＥに第１のパイロット信号を送信するのに使用される第１のパイロットアンテナポートの番号及び数、基地局によってＵＥに送信される第１のパイロット信号に対応するスクランブリングコード系列、基地局によってＵＥに送信される第１のパイロット信号に対応する時間周波数リソース位置などを含むものであってもよい。
【０１３０】
実際には、第２のコンフィギュレーション情報はＤＣＩであってもよい。任意的には、ＤＣＩは第２のフラグビットを搬送してもよく、第２のフラグビットは、第１のパイロット信号のコンフィギュレーションパラメータを示すのに使用される。
【０１３１】
ステップＳ６０２：基地局は、ＵＥに第３のコンフィギュレーション情報を送信する。
【０１３２】
上記のステップは、基地局によって実行されてもよいし、又は中継ノードなどの装置によって実行されてもよい。
【０１３３】
具体的には、第３のコンフィギュレーション情報は、基地局がＵＥに第２のパイロット信号を送信すべきか示すのに使用される。ここでは、第２のパイロット信号は、次回の加重係数を生成するのに使用される。
【０１３４】
さらに、第３のコンフィギュレーション情報が、基地局がＵＥに第２のパイロット信号を送信すべきであることを示す場合、ＵＥは、ステップＳ６００において第２のパイロットアンテナポートが重み付けされるときに使用される加重係数を生成するため、第２のパイロット信号を測定し、ステップＳ６００が次回に実行されるときに基地局が使用する加重係数を基地局にフィードバックしてもよい。
【０１３５】
またさらに、第３のコンフィギュレーション情報はＤＣＩであってもよい。任意的には、ＤＣＩは第３のフラグビットを搬送してもよく、第３のフラグビットは、基地局がＵＥに第２のパイロット信号を送信すべきか示すのに使用される。
【０１３６】
ステップＳ６０３：基地局は、第２のパイロットアンテナポートに対応するリソースを使用することによって、ＵＥに第２のパイロット信号を送信する。
【０１３７】
上記のステップは、基地局によって実行されてもよいし、又は中継ノードなどの装置によって実行されてもよい。
【０１３８】
具体的には、第３のコンフィギュレーション情報が、基地局がＵＥに第２のパイロット信号を送信すべきであることを示す場合、基地局は、第２のパイロットアンテナポートに対応する時間周波数リソースを使用することによって、ＵＥに第２のパイロット信号を送信してもよい。
【０１３９】
任意的には、基地局は、ＵＥに第２のパイロット信号を不定期的に送信してもよい。
【０１４０】
実際には、ステップＳ６０１はまた、ステップＳ６０２及びＳ６０３の後に実行されてもよく、ここでは限定されないことが留意されるべきである。さらに、ステップＳ６０３は、第３のコンフィギュレーション情報が、基地局が第２のパイロット信号を送信すべきであることを示した後に実行される。
【０１４１】
ステップＳ６０４：基地局は、第１のパイロットアンテナポートに対応するリソースを使用することによって、ＵＥに第１のパイロット信号を送信する。
【０１４２】
上記のステップは、基地局によって実行されてもよいし、又は中継ノードなどの装置によって実行されてもよい。
【０１４３】
具体的には、基地局は、第１のパイロットアンテナポートに対応する時間周波数リソースを使用することによって、ＵＥに第１のパイロット信号を送信してもよい。
【０１４４】
任意的には、基地局は、第１のパイロット信号を定期的に送信してもよい。
【０１４５】
ステップＳ６０５：ＵＥは、基地局によって送信される第２のコンフィギュレーション情報を受信する。
【０１４６】
上記のステップは、実際にはＬＴＥシステムに適用されるＵＥであってもよいユーザ装置によって実行される。
【０１４７】
具体的には、基地局がＵＥに第２のコンフィギュレーション情報を送信した後、ＵＥは、第２のコンフィギュレーション情報を受信する必要がある。
【０１４８】
ステップＳ６０６：ＵＥは、第２のコンフィギュレーション情報に従って第１のパイロット信号のコンフィギュレーションパラメータを取得する。
【０１４９】
上記のステップは、実際にはＬＴＥシステムに適用されるＵＥであってもよいユーザ装置によって実行される。
【０１５０】
具体的には、第２のコンフィギュレーション情報が、第１のパイロット信号のコンフィギュレーションパラメータを示すのに使用されるため、ＵＥは、第２のコンフィギュレーション情報に従って、第１のパイロット信号を送信するのに使用される第１のパイロットアンテナポートの番号及び数、第１のパイロット信号に対応するスクランブリングコード系列、第１のパイロット信号に対応する時間周波数リソース位置などを取得してもよい。
【０１５１】
ステップＳ６０７：ＵＥは、基地局によって送信される第３のコンフィギュレーション情報を受信する。
【０１５２】
上記のステップは、実際にはＬＴＥシステムに適用されるＵＥであってもよいユーザ装置によって実行される。
【０１５３】
具体的には、基地局がＵＥに第３のコンフィギュレーション情報を送信した後、ＵＥは、第２のパイロット信号を受信するか決定するため、第３のコンフィギュレーション情報を受信してもよい。
【０１５４】
実際には、特に基地局がＵＥに第２のパイロット信号を送信しないとき、基地局はＵＥにアクティブに通知し、ＵＥは第２のパイロット信号の受信に関する処理を実行しなくてもよい。
【０１５５】
ステップＳ６０８：ＵＥは、第２のパイロットアンテナポートに対応するリソースを使用することによって、第２のパイロット信号を受信する。
【０１５６】
上記のステップは、実際にはＬＴＥシステムに適用されるＵＥであってもよいユーザ装置によって実行される。
【０１５７】
具体的には、第３のコンフィギュレーション情報が、基地局が第２のパイロット信号を送信したことを示すとき、ＵＥは、第２のパイロットアンテナポートに対応する時間周波数リソース位置で第２のパイロット信号を受信してもよい。
【０１５８】
任意的には、第２のパイロット信号を受信した後、ＵＥは、第２のパイロット信号を使用することによってチャネル品質測定を実行し、ステップＳ６００が次回に実行されるときに基地局によって使用される必要がある加重係数を生成し、それから、アップリンクチャネルを使用することによって基地局に加重係数をフィードバックしてもよい。
【０１５９】
ここでは、ステップＳ６０５及びステップＳ６０６の順序とステップＳ６０７及びステップＳ６０８の順序しか限定されていないが、上記の２つのステップの組の間の順序は基地局側の処理、すなわち、ステップＳ６０１〜Ｓ６０３と整合しさえすればよく、ここでは具体的には限定されないことが留意されるべきである。
【０１６０】
ステップＳ６０９：ＵＥは、第１のパイロットアンテナポートに対応するリソースを使用することによって、基地局によって送信される第１のパイロット信号を受信する。
【０１６１】
上記のステップは、実際にはＬＴＥシステムに適用されるＵＥであってもよいユーザ装置によって実行される。
【０１６２】
当該ステップの説明はステップＳ４００のものと同じであり、ここでは詳細は再説明されない。
【０１６３】
上記のステップＳ６００〜Ｓ６０９は、具体例を使用することによって、具体的に以下に説明される。
【０１６４】
図８は、交差偏波における６４個のパイロットアンテナポートの概略図である。図８に示されるように、ｘ軸方向に沿ったプラス４５度の角度の３２本の直線は３２個の第２のパイロットアンテナポートを示し、ｘ軸方向に沿ったマイナス４５度の角度の３２本の直線はまた３２個の第２のパイロットアンテナポートを示す。さらに、実際には、ＵＥは、到来角に基づく測定によってプリコーディング情報を取得し、基地局にプリコーディング情報をフィードバックしてもよい。図９は、本発明の実施例６によるビームの到来角の測定の概略図である。図９に示されるように、図において黒で充填された円はＵＥの物理的アンテナを示し、基地局からのビームがＵＥの物理的アンテナに到来するとき、到来角と物理的アンテナとの間の角度はαによって示され、ＵＥの２つの近傍の物理的アンテナの間の距離はｄであり、従って、ＵＥの第１の物理的アンテナとｋ番目の物理的アンテナとの間の距離はｄ＊（ｋ−１）である。
【０１６５】
上記の図８及び図９の説明に基づき、基地局はまず、加重係数を使用することによって第１のパイロットアンテナポートとして第２のパイロットアンテナポートを重み付けしてもよく、例えば、まずマイナス４５度の角度で第１のパイロットアンテナポートを形成するため、図８においてプラス４５度の角度にある各行における８つの第２のパイロットアンテナポートに対して重み付けを実行し、それから、マイナス４５度の角度で第１のパイロットアンテナポートを形成するため、図８においてマイナス４５度の角度にある各行における８つの第２のパイロットアンテナポートに対して重み付けを実行してもよい。このようにして、重み付けによって、６４個の第２のパイロットアンテナポートが、図８における８つの第１のパイロットアンテナポートを生成するのに使用されてもよい。
【０１６６】
任意的には、式
【０１６７】
【数１】
2017508318.tif 000024
は、上記の決定された第１のパイロットアンテナポートの加重係数として使用されてもよく、ここで、ＷＧＯＢは上記の加重係数を示し、ｍは第１のパイロットアンテナポートを形成するのに使用されるｍ番目の第２のパイロットアンテナポートを示し、ここでは値は１〜８であり、λは光波の波長を示し、ｋは第１のパイロットアンテナポートの総数を示し、ここでは８であり、従って、ＷＧＯＢのサイズは８行＊１列である。
【０１６８】
式（１）に基づき、合計で６４個の第２のパイロットアンテナポートについて、固定的な位相差８αは、主偏波方向における何れか２つの近傍の第１のパイロットアンテナポート間、すなわち、図８における２つの近傍の第１のパイロットアンテナポート間だけ異なり、従って、図８における６４個の第２のパイロットアンテナポートについて、８つの第１のパイロットアンテナポートの生成された合計の加重係数は、
【０１６９】
【数２】
2017508318.tif 000025
である具体的な式によって、ＷＢＦにより示されてもよい。
【０１７０】
８つの第１のパイロットアンテナポートを決定した後、基地局は、８つの第１のパイロットアンテナポートを使用することによって第１のパイロット信号を送信してもよい。第１のパイロット信号を受信した後、ＵＥは、プリコーディングマトリクスＷｐを取得し、ＷＢＦ＊Ｗｐを用いることによって包括的なプリコーディングマトリクスを計算するため、第１のパイロット信号に対してチャネル品質測定を実行し、それから、基地局に包括的なプリコーディングマトリクスをフィードバックしてもよい。
【０１７１】
上記の実施例では、少なくとも２つの第２のパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポートの数を低下させ、パイロット信号のオーバヘッドを更に低下させる。
【０１７２】
図１０は、本発明の実施例７による基地局の構成の概略図である。図１０に示されるように、本実施例において提供される基地局は決定モジュール１０及び送信モジュール１１を有する。
【０１７３】
具体的には、決定モジュール１０は、パイロットアンテナポートグループの送信周期を決定するよう構成され、送信モジュール１１は、各パイロットアンテナポートグループに対応する送信周期において、ユーザ装置がパイロット信号に従ってチャネル品質を測定するように、パイロットアンテナポートグループに対応するリソースを使用することによってユーザ装置にパイロット信号を送信するよう構成される。
【０１７４】
さらに、送信モジュール１１は更に、ユーザ装置に第１のコンフィギュレーション情報を送信するよう構成され、ここで、第１のコンフィギュレーション情報は、パイロット信号が、ユーザ装置の専用の帯域幅で送信されるべきか、又は基地局に対応する全帯域幅で送信されるべきかを示すのに使用される。
【０１７５】
上記の実施例では、基地局は、パイロットアンテナポートグループの送信周期を決定し、各パイロットアンテナポートグループに対応する送信周期において、パイロットアンテナポートグループに対応するリソースを使用することによって、ユーザ装置にパイロット信号を送信し、これにより、パイロット信号のオーバヘッドを低下させる。
【０１７６】
図１１は、本発明の実施例８による基地局の構成の概略図である。図１１に示されるように、本実施例において提供される基地局は、決定モジュール２０及び送信モジュール２１を有する。
【０１７７】
具体的には、決定モジュール２０は、１つの第１のパイロットアンテナポートとして少なくとも２つの第２のパイロットアンテナポートを決定するよう構成され、送信モジュール２１は、第１のパイロットアンテナポートに対応するリソースを使用することによってユーザ装置に第１のパイロット信号を送信するよう構成され、ここで、第１のパイロット信号はチャネル品質測定に使用される。
【０１７８】
さらに、決定モジュール２０は、具体的には、第１のパイロットアンテナポートを取得するため、加重係数を使用することによって第２のパイロットアンテナポートの各々に対して重み付けを実行するよう構成され、ここで、加重係数は基地局によって予め設定されるか、又はユーザ装置によってフィードバックされる。
【０１７９】
さらにまた、送信モジュール２１は、具体的には、第１のパイロットアンテナポートに対応するリソースを使用することによってユーザ装置に第１のパイロット信号を定期的に送信するよう構成される。
【０１８０】
さらにまた、送信モジュール２１は更に、ユーザ装置に第２のコンフィギュレーション情報を送信するよう構成され、ここで、第２のコンフィギュレーション情報は第１のパイロット信号のコンフィギュレーションパラメータを示すのに使用される。
【０１８１】
さらにまた、送信モジュール２１は更に、ユーザ装置に第３のコンフィギュレーション情報を送信するよう構成され、ここで、第３のコンフィギュレーション情報は、基地局がユーザ装置に第２のパイロット信号を送信すべきか示すのに使用される。
【０１８２】
さらにまた、送信モジュール２１は更に、第２のパイロットアンテナポートに対応するリソースを使用することによってユーザ装置に第２のパイロット信号を不定期的に送信するよう構成される。
【０１８３】
上記の実施例では、少なくとも２つのパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポート数を低下させ、パイロット信号のオーバヘッドを更に低下させる。
【０１８４】
図１２は、本発明の実施例９によるユーザ装置の構成の概略図である。図１２に示されるように、本実施例において提供されるユーザ装置は、受信モジュール３０及び測定モジュール３１を有する。
【０１８５】
具体的には、受信モジュール３０は、基地局の各パイロットアンテナポートグループに対応する送信周期において、パイロットアンテナポートグループに対応するリソースを使用することによってパイロット信号を受信するよう構成され、測定モジュール３１は、パイロット信号に従ってチャネル品質を測定するよう構成され、ここで、基地局のパイロットアンテナポートグループの送信周期は基地局によって決定される。
【０１８６】
さらに、受信モジュール３０は更に、第１のコンフィギュレーション情報を受信し、第１のコンフィギュレーション情報に従って、ユーザ装置の専用の帯域幅でパイロット信号を受信するか、又は基地局に対応する全帯域幅でパイロット信号を受信するか決定するよう構成される。
【０１８７】
上記実施例では、ユーザ装置は、基地局の各パイロットアンテナポートグループに対応する送信周期において、パイロットアンテナポートグループに対応するリソースを使用することによってパイロット信号を受信し、パイロット信号に従ってチャネル品質を測定し、これにより、パイロット信号のオーバヘッドを低下させる。
【０１８８】
図１３は、本発明の実施例１０によるユーザ装置の構成の概略図である。図１３に示されるように、本実施例において提供されるユーザ装置は受信モジュール４０を有する。
【０１８９】
具体的には、受信モジュール４０は、第１のパイロットアンテナポートに対応するリソースを使用することによって、基地局によって送信される第１のパイロット信号を受信するよう構成され、ここで、第１のパイロットアンテナポートは少なくとも２つの第２のパイロットアンテナポートに従って基地局によって決定され、第１のパイロット信号はチャネル品質測定に使用される。
【０１９０】
さらに、受信モジュール４０は更に、基地局によって送信される第２のコンフィギュレーション情報を受信し、第２のコンフィギュレーション情報に従って第１のパイロット信号のコンフィギュレーションパラメータを取得するよう構成される。
【０１９１】
さらにまた、受信モジュール４０は更に、基地局によって送信される第３のコンフィギュレーション情報を受信するよう構成され、ここで、第３のコンフィギュレーション情報は、基地局がユーザ装置に第２のパイロット信号を送信すべきか示すのに使用される。
【０１９２】
さらにまた、受信モジュール４０は更に、第２のパイロットアンテナポートに対応するリソースを使用することによって、第２のパイロット信号を受信するよう構成される。
【０１９３】
上記の実施例では、ユーザ装置は、少なくとも２つの第２のパイロットアンテナポートを使用することによって決定された第１のパイロットアンテナポートに対応するリソースを使用することによって第１のパイロット信号を受信し、第１のパイロット信号を使用することによってチャネル品質を測定し、これにより、パイロット信号のオーバヘッドを低下させる。
【０１９４】
図１４は、本発明の実施例１１による基地局の構成の概略図である。図１４に示されるように、本実施例において提供される基地局は、プロセッサ５０及び送信機５１を有する。
【０１９５】
具体的には、プロセッサ５０は、パイロットアンテナポートグループの送信周期を決定するよう構成され、送信機５１は、各パイロットアンテナポートグループに対応する送信周期において、ユーザ装置がパイロット信号に従ってチャネル品質を測定するように、パイロットアンテナポートグループに対応するリソースを使用することによってユーザ装置にパイロット信号を送信するよう構成される。
【０１９６】
さらに、送信機５０は更に、ユーザ装置に第１のコンフィギュレーション情報を送信するよう構成され、ここで、第１のコンフィギュレーション情報は、パイロット信号が、ユーザ装置の専用の帯域幅で送信されるべきか、又は基地局に対応する全帯域幅で送信されるべきかを示すのに使用される。
【０１９７】
上記の実施例では、基地局は、パイロットアンテナポートグループの送信周期を決定し、各パイロットアンテナポートグループに対応する送信周期において、パイロットアンテナポートグループに対応するリソースを使用することによって、ユーザ装置にパイロット信号を送信し、これにより、パイロット信号のオーバヘッドを低下させる。
【０１９８】
図１５は、本発明の実施例１２による基地局の構成の概略図である。図１５に示されるように、本実施例において提供される基地局は、プロセッサ６０及び送信機６１を有する。
【０１９９】
具体的には、プロセッサ６０は、１つの第１のパイロットアンテナポートとして少なくとも２つの第２のパイロットアンテナポートを決定するよう構成され、送信機６１は、第１のパイロットアンテナポートに対応するリソースを使用することによってユーザ装置に第１のパイロット信号を送信するよう構成され、ここで、第１のパイロット信号はチャネル品質測定に使用される。
【０２００】
さらに、プロセッサ６０は、具体的には、第１のパイロットアンテナポートを取得するため、加重係数を使用することによって第２のパイロットアンテナポートの各々に対して重み付けを実行するよう構成され、ここで、加重係数は基地局によって予め設定されるか、又はユーザ装置によってフィードバックされる。
【０２０１】
さらにまた、送信機６１は、具体的には、第１のパイロットアンテナポートに対応するリソースを使用することによってユーザ装置に第１のパイロット信号を定期的に送信するよう構成される。
【０２０２】
さらにまた、送信機６１は更に、ユーザ装置に第２のコンフィギュレーション情報を送信するよう構成され、ここで、第２のコンフィギュレーション情報は第１のパイロット信号のコンフィギュレーションパラメータを示すのに使用される。
【０２０３】
さらにまた、送信機６１は更に、ユーザ装置に第３のコンフィギュレーション情報を送信するよう構成され、ここで、第３のコンフィギュレーション情報は、基地局がユーザ装置に第２のパイロット信号を送信すべきか示すのに使用される。
【０２０４】
さらにまた、送信機６１は更に、第２のパイロットアンテナポートに対応するリソースを使用することによってユーザ装置に第２のパイロット信号を不定期的に送信するよう構成される。
【０２０５】
上記の実施例では、少なくとも２つの第２のパイロットアンテナポートが１つの第１のパイロットアンテナポートとして決定され、それから、第１のパイロット信号が第１のパイロットアンテナポートに対応するリソースを使用することによってユーザ装置に送信され、これにより、第１のパイロット信号を送信するためのアンテナポートの数を低下させ、パイロット信号のオーバヘッドを更に低下させる。
【０２０６】
図１６は、本発明の実施例１３によるユーザ装置の構成の概略図である。図１６に示されるように、本実施例において提供されるユーザ装置は、受信機７０及びプロセッサ７１を有する。
【０２０７】
具体的には、受信機７０は、基地局の各パイロットアンテナポートグループに対応する送信周期において、パイロットアンテナポートグループに対応するリソースを使用することによってパイロット信号を受信するよう構成され、プロセッサ７１は、パイロット信号に従ってチャネル品質を測定するよう構成され、ここで、基地局のパイロットアンテナポートグループの送信周期は基地局によって決定される。
【０２０８】
さらに、受信機７０は更に、第１のコンフィギュレーション情報を受信し、第１のコンフィギュレーション情報に従って、ユーザ装置の専用の帯域幅でパイロット信号を受信するか、又は基地局に対応する全帯域幅でパイロット信号を受信するか決定するよう構成される。
【０２０９】
上記の実施例では、ユーザ装置は、基地局の各パイロットアンテナポートグループに対応する送信周期において、パイロットアンテナポートグループに対応するリソースを使用することによってパイロット信号を受信し、パイロット信号に従ってチャネル品質を測定し、これにより、パイロット信号のオーバヘッドを低下させる。
【０２１０】
図１７は、本発明の実施例１４によるユーザ装置の構成の概略図である。図１７に示されるように、本実施例において提供されるユーザ装置は受信機８０を有する。
【０２１１】
具体的には、受信機８０は、第１のパイロットアンテナポートに対応するリソースを使用することによって、基地局によって送信される第１のパイロット信号を受信するよう構成され、ここで、第１のパイロットアンテナポートは少なくとも２つの第２のパイロットアンテナポートに従って基地局によって決定され、第１のパイロット信号はチャネル品質測定に使用される。
【０２１２】
さらに、受信機８０は更に、基地局によって送信される第２のコンフィギュレーション情報を受信し、第２のコンフィギュレーション情報に従って第１のパイロット信号のコンフィギュレーションパラメータを取得するよう構成される。
【０２１３】
さらにまた、受信機８０は更に、基地局によって送信される第３のコンフィギュレーション情報を受信するよう構成され、ここで、第３のコンフィギュレーション情報は、基地局がユーザ装置に第２のパイロット信号を送信すべきか示すのに使用される。
【０２１４】
さらにまた、受信機８０は更に、第２のパイロットアンテナポートに対応するリソースを使用することによって、第２のパイロット信号を受信するよう構成される。
【０２１５】
上記の実施例では、ユーザ装置は、少なくとも２つの第２のパイロットアンテナポートを使用することによって決定される第１のパイロットアンテナポートに対応するリソースを使用することによって第１のパイロット信号を受信し、第１のパイロット信号を使用することによってチャネル品質を測定し、これにより、パイロット信号のオーバヘッドを低下させる。
【０２１６】
当業者は方法の実施例のステップの全て又は一部が関連するハードウェアにプログラムが指示することによって実現されうることを理解しうる。プログラムは、コンピュータ可読記憶媒体に記憶されてもよい。プログラムが実行されると、方法の実施例のステップが実行される。上記の記憶媒体は、ＲＯＭ、ＲＡＭ、磁気ディスク又は光ディスクなどのプログラムコードを記憶可能な何れかの媒体を含む。
【０２１７】
最後に、上記の実施例は本発明の技術的解決策を説明することを単に意図しており、本発明を限定することを意図していないことが留意されるべきである。本発明は上記の実施例を参照して詳細に説明されるが、当業者は、本発明の実施例の技術的解決策の範囲から逸脱することなく、上記の実施例において説明された技術的解決策に対して依然として修正を行ってもよいし、又はそれの一部又は全ての技術的特徴に対して等価な置換を行ってもよいことを理解すべきである。
【国際調査報告】
2017508318.tif 000026
2017508318.tif 000027
2017508318.tif 000028
2017508318.tif 000029